(57)【要約】【課題】快適度と環境データとの関連性の把握を容易にし、適切な空調設備管理を可能とする。【解決手段】ユーザの空調環境に対する嗜好を格納した嗜好格納部１０１と、ユーザの属性を格納する属性格納部１０２と、空調空間の状況を表す環境データ値を取得する環境データ値取得部１０３と、嗜好格納部に格納したユーザの嗜好と、属性格納部に格納したユーザの属性と、環境データ値取得部が取得した空調空間の環境データ値とに基づいてユーザの空調空間における快適性を示す快適度値を生成する快適度値生成部１０４と、快適度値生成部で生成したユーザの快適度値と、環境データ値取得部が取得した空調空間の環境データ値と、を合成して表示データを生成する表示データ生成部１０５と、表示データを表示する表示部１０６と、を有する。【選択図】図１
2019020109.tif 000002
【特許請求の範囲】
【請求項１】
ユーザの空調環境に対する嗜好を格納した嗜好格納部と、
前記ユーザの属性を格納する属性格納部と、
空調空間の状況を表す環境データ値を取得する環境データ値取得部と、
前記嗜好格納部に格納した前記ユーザの嗜好と、前記属性格納部に格納した前記ユーザの属性と、前記環境データ値取得部が取得した前記空調空間の環境データ値とに基づいて前記ユーザの前記空調空間における快適性を示す快適度値を生成する快適度値生成部と、
前記快適度値生成部で生成した前記ユーザの快適度値と、前記環境データ値取得部が取得した前記空調空間の環境データ値と、を合成して表示データを生成する表示データ生成部と、
前記表示データを表示する表示部と、
を有することを特徴とする快適度表示装置。
【請求項２】
請求項１に記載の快適度表示装置であって、
前記快適度値生成部で生成した前記ユーザの快適度値を代表する快適度値基本統計量と、前記環境データ値取得部が取得した前記空調空間の環境データ値を代表する環境データ値基本統計量と、を算出する基本統計量算出部を含み、
前記表示データ生成部は、前記ユーザの快適度値と、前記空調空間の環境データ値と、前記快適度値基本統計量と前記環境データ値基本統計量の内のいずれか１つまたは複数と、を合成して表示統合データを生成し、
前記表示部が、前記表示統合データを表示する快適度表示装置。
【請求項３】
請求項２に記載の快適度表示装置であって、
前記基本統計量算出部が算出する前記快適度値基本統計量は、以下の（１）から（５）のグループを有し、
（１）前記ユーザの快適度値の時間平均値または空間平均値
（２）前記ユーザの快適度値の時間中央値または空間中央値
（３）前記ユーザの快適度値の時間最大値または空間最大値
（４）前記ユーザの快適度値の時間最小値または空間最小値
（５）前記ユーザの快適度値の時間最頻値または空間最頻値
前記基本統計量算出部が算出する前記環境データ値基本統計量は、以下の（６）から（１０）のグループを有すること、
（６）前記空調空間の環境データ値の時間平均値または空間平均値
（７）前記空調空間の環境データ値の時間中央値または空間中央値
（８）前記空調空間の環境データ値の時間最大値または空間最大値
（９）前記空調空間の環境データ値の時間最小値または空間最小値
（１０）前記空調空間の環境データ値の時間最頻値または空間最頻値
を特徴とする快適度表示装置。
【請求項４】
請求項３に記載の快適度表示装置であって、
前記表示データ生成部は、
前記ユーザの快適度値と、前記空調空間の環境データ値と、前記（１）のグループの前記快適度値基本統計量と前記（６）のグループの前記環境データ値基本統計量の内のいずれか１つまたは複数、
或いは、前記ユーザの快適度値と、前記空調空間の環境データ値と、前記（２）のグループの前記快適度値基本統計量と前記（７）のグループの前記環境データ値基本統計量の内のいずれか１つまたは複数、
或いは、前記ユーザの快適度値と、前記空調空間の環境データ値と、前記（３）のグループの前記快適度値基本統計量と前記（８）のグループの前記環境データ値基本統計量の内のいずれか１つまたは複数、
或いは、前記ユーザの快適度値と、前記空調空間の環境データ値と、前記（４）のグループの前記快適度値基本統計量と前記（９）のグループの前記環境データ値基本統計量の内のいずれか１つまたは複数、
或いは、前記ユーザの快適度値と、前記空調空間の環境データ値と、前記（５）のグループの前記快適度値基本統計量と前記（１０）のグループの前記環境データ値基本統計量の内のいずれか１つまたは複数、
を合成して前記表示統合データを生成する快適度表示装置。
【請求項５】
請求項１に記載の快適度表示装置であって、
前記快適度値生成部で生成した前記ユーザの快適度値を代表する快適度値基本統計量と、前記環境データ値取得部が取得した前記空調空間の環境データ値を代表する環境データ値基本統計量と、を算出する基本統計量算出部を含み、
前記表示データ生成部は、前記快適度値基本統計量の内のいずれか１つと、前記環境データ値基本統計量の内のいずれか１つを合成して統計量表示データを生成し、
前記表示部が、前記統計量表示データを表示する快適度表示装置。
【請求項６】
請求項５に記載の快適度表示装置であって、
前記基本統計量算出部が算出する前記快適度値基本統計量は、以下の（１）から（５）のグループを有し、
（１）前記ユーザの快適度値の時間平均値または空間平均値
（２）前記ユーザの快適度値の時間中央値または空間中央値
（３）前記ユーザの快適度値の時間最大値または空間最大値
（４）前記ユーザの快適度値の時間最小値または空間最小値
（５）前記ユーザの快適度値の時間最頻値または空間最頻値
前記基本統計量算出部が算出する前記環境データ値基本統計量は、以下の（６）から（１０）のグループを有すること、
（６）前記空調空間の環境データ値の時間平均値または空間平均値
（７）前記空調空間の環境データ値の時間中央値または空間中央値
（８）前記空調空間の環境データ値の時間最大値または空間最大値
（９）前記空調空間の環境データ値の時間最小値または空間最小値
（１０）前記空調空間の環境データ値の時間最頻値または空間最頻値
を特徴とする快適度表示装置。
【請求項７】
請求項６に記載の快適度表示装置であって、
前記表示データ生成部は、
前記（１）のグループの前記快適度値基本統計量に含まれる２つの値のいずれか一方と、前記（６）のグループの前記環境データ値基本統計量に含まれる２つの値のいずれか一方、
或いは、前記（２）のグループの前記快適度値基本統計量に含まれる２つの値のいずれか一方と、前記（７）のグループの前記環境データ値基本統計量に含まれる２つの値のいずれか一方、
或いは、前記（３）のグループの前記快適度値基本統計量に含まれる２つの値のいずれか一方と、前記（８）のグループの前記環境データ値基本統計量に含まれる２つの値のいずれか一方、
或いは、前記（４）のグループの前記快適度値基本統計量に含まれる２つの値のいずれか一方と、前記（９）のグループの前記環境データ値基本統計量に含まれる２つの値のいずれか一方、
或いは、前記（５）のグループの前記快適度値基本統計量に含まれる２つの値のいずれか一方と、前記（１０）のグループの前記環境データ値基本統計量に含まれる２つの値のいずれか一方、
を合成して前記統計量表示データを生成する快適度表示装置。
【請求項８】
請求項１に記載の快適度表示装置であって、
前記空調空間は複数のエリアで構成され、
前記空調空間の前記エリアの構成情報を格納するエリア情報格納部と、を備え、
前記エリア情報格納部に格納された前記エリアの構成情報を参照して前記エリアの前記空調空間の状況を表すエリア環境データ値を前記エリア毎に取得するエリア環境データ値取得部と、
前記嗜好格納部に格納した前記ユーザの嗜好と、前記属性格納部に格納した前記ユーザの属性と、前記エリア環境データ値取得部が取得した前記エリア環境データ値とに基づいて前記ユーザの前記エリアにおける快適性を示すエリア快適度値を生成するエリア快適度値生成部と、
前記エリア快適度値生成部で生成した前記ユーザのエリア快適度値と、前記エリア環境データ値取得部が取得した前記エリア環境データ値と、を合成してエリア表示データを生成するエリア表示データ生成部と、を有し、
前記表示部が、１つまたは複数の前記エリア表示データを表示すること、
を特徴とする快適度表示装置。
【請求項９】
請求項８に記載の快適度表示装置であって、
前記エリア快適度値生成部で生成した前記ユーザのエリア快適度値を代表するエリア快適度値基本統計量と、前記エリア環境データ値取得部が取得した前記エリア環境データ値を代表するエリア環境データ値基本統計量と、を算出するエリア基本統計量算出部と、を含み、
前記エリア表示データ生成部は、前記ユーザのエリア快適度値と、前記エリア環境データ値と、前記エリア快適度値基本統計量と前記エリア環境データ値基本統計量の内のいずれか１つまたは複数と、を合成してエリア表示統合データを生成し、
前記表示部が、１つまたは複数の前記エリア表示統合データを表示する快適度表示装置。
【請求項１０】
請求項９に記載の快適度表示装置であって、
前記エリア基本統計量算出部が算出する前記エリア快適度値基本統計量は、以下の（１）から（５）のグループを有し、
（１）前記ユーザのエリア快適度値の時間平均値または空間平均値
（２）前記ユーザのエリア快適度値の時間中央値または空間中央値
（３）前記ユーザのエリア快適度値の時間最大値または空間最大値
（４）前記ユーザのエリア快適度値の時間最小値または空間最小値
（５）前記ユーザのエリア快適度値の時間最頻値または空間最頻値
前記エリア基本統計量算出部が算出する前記エリア環境データ値基本統計量は、以下の（６）から（１０）のグループを有すること、
（６）前記エリア環境データ値の時間平均値または空間平均値
（７）前記エリア環境データ値の時間中央値または空間中央値
（８）前記エリア環境データ値の時間最大値または空間最大値
（９）前記エリア環境データ値の時間最小値または空間最小値
（１０）前記エリア環境データ値の時間最頻値または空間最頻値
を特徴とする快適度表示装置。
【請求項１１】
請求項１０に記載の快適度表示装置であって、
前記エリア表示データ生成部は、
前記ユーザのエリア快適度値と、前記エリア環境データ値と、前記（１）のグループの前記エリア快適度値基本統計量と前記（６）のグループの前記エリア環境データ値基本統計量の内のいずれか１つまたは複数、
或いは、前記ユーザのエリア快適度値と、前記エリア環境データ値と、前記（２）のグループの前記エリア快適度値基本統計量と前記（７）のグループの前記エリア環境データ値基本統計量の内のいずれか１つまたは複数、
或いは、前記ユーザのエリア快適度値と、前記エリア環境データ値と、前記（３）のグループの前記エリア快適度値基本統計量と前記（８）のグループの前記エリア環境データ値基本統計量の内のいずれか１つまたは複数、
或いは、前記ユーザのエリア快適度値と、前記エリア環境データ値と、前記（４）のグループの前記エリア快適度値基本統計量と前記（９）のグループの前記エリア環境データ値基本統計量の内のいずれか１つまたは複数、
或いは、前記ユーザのエリア快適度値と、前記エリア環境データ値と、前記（５）のグループの前記エリア快適度値基本統計量と前記（１０）のグループの前記エリア環境データ値基本統計量の内のいずれか１つまたは複数、
を合成して前記エリア表示統合データを生成する快適度表示装置。
【請求項１２】
請求項８に記載の快適度表示装置であって、
前記エリア快適度値生成部で生成した前記ユーザのエリア快適度値を代表するエリア快適度値基本統計量と、前記エリア環境データ値取得部が取得した前記エリア環境データ値を代表するエリア環境データ値基本統計量と、を算出するエリア基本統計量算出部を含み、
前記エリア表示データ生成部は、前記エリア快適度値基本統計量の内のいずれか１つと、前記エリア環境データ値基本統計量の内のいずれか１つを合成してエリア統計量表示データを生成し、
前記表示部が、１つまたは複数の前記エリア統計量表示データを表示する快適度表示装置。
【請求項１３】
請求項１２に記載の快適度表示装置であって、
前記エリア基本統計量算出部が算出する前記エリア快適度値基本統計量は、以下の（１）から（５）を有し、
（１）前記ユーザのエリア快適度値の時間平均値または空間平均値
（２）前記ユーザのエリア快適度値の時間中央値または空間中央値
（３）前記ユーザのエリア快適度値の時間最大値または空間最大値
（４）前記ユーザのエリア快適度値の時間最小値または空間最小値
（５）前記ユーザのエリア快適度値の時間最頻値または空間最頻値
前記エリア基本統計量算出部が算出する前記エリア環境データ値基本統計量は、以下の（６）から（１０）のグループを有すること、
（６）前記エリア環境データ値の時間平均値または空間平均値
（７）前記エリア環境データ値の時間中央値または空間中央値
（８）前記エリア環境データ値の時間最大値または空間最大値
（９）前記エリア環境データ値の時間最小値または空間最小値
（１０）前記エリア環境データ値の時間最頻値または空間最頻値
を特徴とする快適度表示装置。
【請求項１４】
請求項１３に記載の快適度表示装置であって、
前記エリア表示データ生成部は、
前記（１）のグループの前記エリア快適度値基本統計量に含まれる２つの値のいずれか一方と、前記（６）のグループの前記エリア環境データ値基本統計量に含まれる２つの値のいずれか一方、
或いは、前記（２）のグループの前記エリア快適度値基本統計量に含まれる２つの値のいずれか一方と、前記（７）のグループの前記エリア環境データ値基本統計量に含まれる２つの値のいずれか一方、
或いは、前記（３）のグループの前記エリア快適度値基本統計量に含まれる２つの値のいずれか一方と、前記（８）のグループの前記エリア環境データ値基本統計量に含まれる２つの値のいずれか一方、
或いは、前記（４）のグループの前記エリア快適度値基本統計量に含まれる２つの値のいずれか一方と、前記（９）のグループの前記エリア環境データ値基本統計量に含まれる２つの値のいずれか一方、
或いは、前記（５）のグループの前記エリア快適度値基本統計量に含まれる２つの値のいずれか一方と、前記（１０）のグループの前記エリア環境データ値基本統計量に含まれる２つの値のいずれか一方、
を合成して前記エリア統計量表示データを生成する快適度表示装置。
【請求項１５】
請求項８から１４のいずれか１項に記載の快適度表示装置であって、
前記エリア情報格納部に前記空調空間の前記エリアの構成情報を入力するエリア情報入力部を有する快適度表示装置。
【請求項１６】
請求項１に記載の快適度表示装置であって、
前記空調空間の機器に使用される電力データ値を取得する電力情報取得部を有し、
前記表示データ生成部が、前記快適度値生成部で生成した前記ユーザの快適度値と、前記環境データ値取得部が取得した前記空調空間の環境データ値と、前記電力情報取得部が取得した電力データ値とを合成して前記表示データを生成する快適度表示装置。
【請求項１７】
請求項８に記載の快適度表示装置であって、
前記エリア快適度値生成部で生成した前記ユーザのエリア快適度値を代表するエリア快適度値基本統計量を算出するエリア基本統計量算出部と、
前記エリア基本統計量算出部が算出する前記エリア快適度値基本統計量と、所定の閾値とを比較評価してエリア快適度評価を出力するエリア快適度評価部と、を有し、
前記エリア表示データ生成部は、前記エリア快適度値生成部で生成した前記ユーザのエリア快適度値と、前記エリア環境データ値取得部が取得した前記エリア環境データ値と、前記エリア快適度評価部が出力した前記エリア快適度評価と、を合成して前記エリア表示データを生成する快適度表示装置。
【請求項１８】
請求項１に記載の快適度表示装置であって、
前記ユーザの生体情報を格納する生体情報格納部と、
前記ユーザの現在状態量と前記ユーザの現在位置とを取得するユーザ状態取得部と、を含み、
前記快適度値生成部は、前記嗜好格納部に格納した前記ユーザの嗜好と、前記属性格納部に格納した前記ユーザの属性と、前記環境データ値取得部が取得した前記空調空間の環境データ値と、前記生体情報格納部に格納した前記ユーザの前記生体情報と、前記ユーザ状態取得部が取得した前記ユーザの現在状態量と前記ユーザの現在位置とに基づいて前記ユーザの前記空調空間における快適性を示す快適度値を生成する快適度表示装置。
【請求項１９】
請求項１に記載の快適度表示装置であって、
前記快適度値生成部で生成した離散値である前記ユーザの快適度値を補完して時間または空間に対する連続値とし、前記環境データ値取得部が取得した離散値である前記空調空間の環境データ値を補完して時間または空間に対する連続値とする補完部を含み、
前記表示データ生成部が、前記ユーザの快適度値の時間または空間に対する連続値のいずれか一方と、前記空調空間の環境データ値の時間または空間に対する連続値のいずれか一方とを合成して連続表示データを生成し、
前記表示部が、前記連続表示データを表示する快適度表示装置。
【請求項２０】
請求項１に記載の快適度表示装置であって、
前記ユーザの快適度値が快適限界範囲にない場合に異常を検出し、異常データを出力する異常検出部を含み、
前記表示データ生成部は、前記異常検出部が出力した異常データと、前記ユーザの快適度値と、前記空調空間の環境データ値とを合成して異常表示データを生成し、
前記表示部が、前記異常表示データを表示する快適度表示装置。
【請求項２１】
請求項１に記載の快適度表示装置であって、
前記ユーザの快適度値が快適限界範囲にない場合に異常を検出し、異常データを出力する異常検出部を含み、
前記表示データ生成部は、前記異常検出部が異常を検出した前記ユーザの快適度値をそれ以外の前記ユーザの快適度値と識別できるように、前記ユーザの快適度値と前記空調空間の環境データ値とを合成して異常識別表示データを生成し、
前記表示部が、前記異常識別表示データを表示する快適度表示装置。
【請求項２２】
請求項１に記載の快適度表示装置であって、
前記嗜好格納部は、タイプ別基準ユーザの空調環境に対する嗜好を格納し、
前記属性格納部は、前記タイプ別基準ユーザの属性を格納し、
前記空調空間の領域毎に、前記嗜好格納部に格納した前記タイプ別基準ユーザの嗜好と、前記属性格納部に格納した前記タイプ別基準ユーザの属性と、前記環境データ値取得部が取得した前記空調空間の環境データ値とに基づいて前記タイプ別基準ユーザの快適度値を生成し、前記タイプ別基準ユーザの快適度値が所定範囲にある場合にその領域をタイプ別推奨領域とするタイプ別推奨領域生成部を含み、
前記表示データ生成部が、前記快適度値生成部で生成した前記ユーザの快適度値と、前記タイプ別推奨領域と、前記空調空間の環境データ値とを合成してタイプ別推奨領域表示データを生成し、
前記表示部が、前記タイプ別推奨領域表示データを表示する快適度表示装置。
【請求項２３】
請求項２２に記載の快適度表示装置であって、
前記タイプ別推奨領域をプロジェクションマッピングまたは拡張現実で表示する移動先表示部を備える快適度表示装置。
【請求項２４】
請求項１または２２に記載の快適度表示装置であって、
前記空調空間の領域毎に、前記嗜好格納部に格納した前記ユーザの嗜好と、前記属性格納部に格納した前記ユーザの属性と、前記環境データ値取得部が取得した前記空調空間の環境データ値とに基づいて前記ユーザの快適度値を生成し、前記ユーザの快適度値が所定範囲にある場合にその領域をユーザ別推奨領域とするユーザ別推奨領域生成部を含み、
前記表示データ生成部が、前記快適度値生成部で生成した前記ユーザの快適度値と、前記ユーザ別推奨領域と、前記空調空間の環境データ値とを合成してユーザ別推奨領域表示データを生成し、
前記表示部が、前記ユーザ別推奨領域表示データを表示する快適度表示装置。
【請求項２５】
請求項２４に記載の快適度表示装置であって、
前記ユーザ別推奨領域をプロジェクションマッピングまたは拡張現実で表示する移動先表示部を備える快適度表示装置。
【請求項２６】
請求項１に記載の快適度表示装置であって、
前記ユーザの現在状態量と前記ユーザの現在位置とを取得するユーザ状態取得部を含み、
前記快適度値生成部は、前記嗜好格納部に格納した前記ユーザの嗜好と、前記属性格納部に格納した前記ユーザの属性と、前記環境データ値取得部が取得した前記空調空間の環境データ値と、前記ユーザ状態取得部が取得した前記ユーザの現在状態量と前記ユーザの現在位置とに基づいて前記ユーザの現在の快適性を示す現在快適度値を生成し、
前記現在快適度値が所定範囲にない場合には、前記ユーザの快適度値が所定範囲に入るまで前記ユーザの状態量を現在状態量から変更して、前記ユーザの嗜好と、前記ユーザの属性と、前記空調空間の環境データ値と、前記ユーザの現在位置とに基づいて前記ユーザの快適度値を繰り返し生成して、前記ユーザの快適度値が所定範囲に入る前記ユーザの変更状態量を確定し、前記ユーザの現在状態量と前記変更状態量の差に基づいて前記ユーザの推奨行動を生成する推奨行動生成部を含み、
前記表示データ生成部は、前記快適度値生成部で生成した前記ユーザの前記現在快適度値と、前記空調空間の環境データ値と、前記推奨行動生成部が生成した前記推奨行動とを合成して推奨行動表示データを生成し、
前記表示部が、前記推奨行動表示データを表示する快適度表示装置。
【請求項２７】
タイプ別基準ユーザの空調環境に対する嗜好を格納した嗜好格納部と、
前記タイプ別基準ユーザの属性を格納する属性格納部と、
空調空間の状況を表す環境データ値を取得する環境データ値取得部と、
前記空調空間の領域毎に、前記嗜好格納部に格納した前記タイプ別基準ユーザの嗜好と、前記属性格納部に格納した前記タイプ別基準ユーザの属性と、前記環境データ値取得部が取得した前記空調空間の環境データ値とに基づいて前記タイプ別基準ユーザの快適度値を生成し、前記タイプ別基準ユーザの快適度値が所定範囲にある場合にその領域をタイプ別推奨領域とするタイプ別推奨領域生成部と、
前記タイプ別推奨領域と、前記空調空間の環境データ値とを合成してタイプ別推奨領域表示データを生成する表示データ生成部と、
前記タイプ別推奨領域表示データを表示する表示部と、
を有することを特徴とする快適度表示装置。
【請求項２８】
ユーザの空調環境に対する嗜好を格納した嗜好格納部と、
前記ユーザの属性を格納する属性格納部と、
空調空間の状況を表す環境データ値を取得する環境データ値取得部と、
前記空調空間の領域毎に、前記嗜好格納部に格納した前記ユーザの嗜好と、前記属性格納部に格納した前記ユーザの属性と、前記環境データ値取得部が取得した前記空調空間の環境データ値とに基づいて前記ユーザの快適度値を生成し、前記ユーザの快適度値が所定範囲にある場合にその領域をユーザ別推奨領域とするユーザ別推奨領域生成部と、
前記ユーザ別推奨領域と、前記空調空間の環境データ値とを合成してユーザ別推奨領域表示データを生成する表示データ生成部と、
前記ユーザ別推奨領域表示データを表示する表示部と、
を有することを特徴とする快適度表示装置。
【発明の詳細な説明】
【技術分野】
【０００１】
本発明は、空調空間内の環境データとユーザの快適度とを表示する快適度表示装置の構成に関する。
【背景技術】
【０００２】
近年、ビルや家などの建物内における温度は、建物内にいるユーザが快適に過ごせるように空調によって制御されている。しかし、「暑い」、「寒い」と不快に感じる温度や、快適性を感じる温度は個人によって異なってくるので、店舗など多くの人が在室し、自由に移動できる空間では、使用中の空調システムが複数の店舗利用者にどの程度の快適性を提供しているのか不明な場合が多い。
【０００３】
このため、複数のユーザの携帯端末から快適度の評価データを受信し、それを平均化してその空調空間内の快適度分布をディスプレイに表示してモニタリングする方法が提案されている（例えば、特許文献１参照）。
【０００４】
また、温度、湿度、二酸化炭素濃度等に基づいてオフィス内の各エリアの快適度を算出し、オフィスのレイアウトに快適度分布を重ね合わせてディスプレイに表示するシステムも提案されている（例えば、特許文献２参照）。
【先行技術文献】
【特許文献】
【０００５】
【特許文献１】特開２０１３−１０４６３２号公報
【特許文献２】特開２０１１−  ８９６８２号公報
【発明の概要】
【発明が解決しようとする課題】
【０００６】
ところで、人の快適性は、温度、湿度、風速、輻射温度等の環境データと着衣量、運動量等の個人状態、および暑がり、寒がり等の個人嗜好によって変化する。特許文献１、２に記載された従来技術では、ディスプレイに快適度のみを表示しているので、快適度と環境データとの関連性が把握できず、環境データをどのように変更すれば快適度が向上するのか判断することが難しかった。
【０００７】
そこで、本発明は、快適度と環境データとの関連性の把握を容易にし、適切な空調設備管理を可能とすることを目的とする。
【課題を解決するための手段】
【０００８】
本発明の快適度表示装置は、ユーザの空調環境に対する嗜好を格納した嗜好格納部と、前記ユーザの属性を格納する属性格納部と、空調空間の状況を表す環境データ値を取得する環境データ値取得部と、前記嗜好格納部に格納した前記ユーザの嗜好と、前記属性格納部に格納した前記ユーザの属性と、前記環境データ値取得部が取得した前記空調空間の環境データ値とに基づいて前記ユーザの前記空調空間における快適性を示す快適度値を生成する快適度値生成部と、前記快適度値生成部で生成した前記ユーザの快適度値と、前記環境データ値取得部が取得した前記空調空間の環境データ値と、を合成して表示データを生成する表示データ生成部と、前記表示データを表示する表示部と、を有することを特徴とする。
【０００９】
このように、本発明は、快適度値と環境データ値とを重ね合わせて表示するので、快適度と環境データとの関連性を容易に把握でき、空調管理者が適切に空調設備の調整を行うことを可能にする。
【００１０】
本発明の快適度表示装置において、前記快適度値生成部で生成した前記ユーザの快適度値を代表する快適度値基本統計量と、前記環境データ値取得部が取得した前記空調空間の環境データ値を代表する環境データ値基本統計量と、を算出する基本統計量算出部を含み、前記表示データ生成部は、前記ユーザの快適度値と、前記空調空間の環境データ値と、前記快適度値基本統計量と前記環境データ値基本統計量の内のいずれか１つまたは複数と、を合成して表示統合データを生成し、前記表示部が、前記表示統合データを表示してもよい。ここで、前記基本統計量算出部が算出する前記快適度値基本統計量は、以下の（１）から（５）のグループを有し、
（１）前記ユーザの快適度値の時間平均値または空間平均値
（２）前記ユーザの快適度値の時間中央値または空間中央値
（３）前記ユーザの快適度値の時間最大値または空間最大値
（４）前記ユーザの快適度値の時間最小値または空間最小値
（５）前記ユーザの快適度値の時間最頻値または空間最頻値
前記基本統計量算出部が算出する前記環境データ値基本統計量は、以下の（６）から（１０）のグループを有すること、
（６）前記空調空間の環境データ値の時間平均値または空間平均値
（７）前記空調空間の環境データ値の時間中央値または空間中央値
（８）前記空調空間の環境データ値の時間最大値または空間最大値
（９）前記空調空間の環境データ値の時間最小値または空間最小値
（１０）前記空調空間の環境データ値の時間最頻値または空間最頻値
としてもよい。
【００１１】
また、本発明の快適度表示装置において、前記表示データ生成部は、前記ユーザの快適度値と、前記空調空間の環境データ値と、前記（１）のグループの前記快適度値基本統計量と前記（６）のグループの前記環境データ値基本統計量の内のいずれか１つまたは複数、或いは、前記ユーザの快適度値と、前記空調空間の環境データ値と、前記（２）のグループの前記快適度値基本統計量と前記（７）のグループの前記環境データ値基本統計量の内のいずれか１つまたは複数、或いは、前記ユーザの快適度値と、前記空調空間の環境データ値と、前記（３）のグループの前記快適度値基本統計量と前記（８）のグループの前記環境データ値基本統計量の内のいずれか１つまたは複数、或いは、前記ユーザの快適度値と、前記空調空間の環境データ値と、前記（４）のグループの前記快適度値基本統計量と前記（９）のグループの前記環境データ値基本統計量の内のいずれか１つまたは複数、或いは、前記ユーザの快適度値と、前記空調空間の環境データ値と、前記（５）のグループの前記快適度値基本統計量と前記（１０）のグループの前記環境データ値基本統計量の内のいずれか１つまたは複数、を合成して前記表示統合データを生成してもよい。
【００１２】
このように、快適度値基本統計量と環境データ値基本統計量とを重ね合わせて表示することにより、快適度と環境データとの関連性の傾向を把握でき、空調設備の交換、追設等の必要性を容易に判断できる。また、快適度値基本統計量と環境データ値基本統計量とを重ね合わせて表示することにより、快適度と環境データとの空間的な関連性の傾向を把握でき、空調空間内の特定エリアの空調設備の交換やパーティション等のビル設備の追設等の必要性を容易に判断できる。快適度値基本統計量、環境データ値基本統計量としては、快適度値、環境データ値のデータ群を代表する指標である平均値、中央値、最大値、最小値、最頻値を用いることで、データ群を包括的に把握することができる。
【００１３】
また、本発明の快適度表示装置において、前記快適度値生成部で生成した前記ユーザの快適度値を代表する快適度値基本統計量と、前記環境データ値取得部が取得した前記空調空間の環境データ値を代表する環境データ値基本統計量と、を算出する基本統計量算出部を含み、前記表示データ生成部は、前記快適度値基本統計量の内のいずれか１つと、前記環境データ値基本統計量の内のいずれか１つを合成して統計量表示データを生成し、前記表示部が、前記統計量表示データを表示することとしてもよい。
【００１４】
また、本発明の快適度表示装置において、前記表示データ生成部は、前記（１）のグループの前記快適度値基本統計量に含まれる２つの値のいずれか一方と、前記（６）のグループの前記環境データ値基本統計量に含まれる２つの値のいずれか一方、或いは、前記（２）のグループの前記快適度値基本統計量に含まれる２つの値のいずれか一方と、前記（７）のグループの前記環境データ値基本統計量に含まれる２つの値のいずれか一方、或いは、前記（３）のグループの前記快適度値基本統計量に含まれる２つの値のいずれか一方と、前記（８）のグループの前記環境データ値基本統計量に含まれる２つの値のいずれか一方、或いは、前記（４）のグループの前記快適度値基本統計量に含まれる２つの値のいずれか一方と、前記（９）のグループの前記環境データ値基本統計量に含まれる２つの値のいずれか一方、或いは、前記（５）のグループの前記快適度値基本統計量に含まれる２つの値のいずれか一方と、前記（１０）のグループの前記環境データ値基本統計量に含まれる２つの値のいずれか一方、を合成して前記統計量表示データを生成することとしてもよい。
【００１５】
このように、快適度値基本統計量と環境データ値基本統計量を表示することにより、快適度と環境データとの関連性の傾向を把握でき、空調設備の交換、追設等の必要性を容易に判断できる。また、快適度値基本統計量、環境データ値基本統計量としては、快適度値、環境データ値のデータ群を代表する指標である平均値、中央値、最大値、最小値、最頻値を用いることで、データ群を包括的に把握することができる。
【００１６】
本発明の快適度表示装置において、前記空調空間は複数のエリアで構成され、前記空調空間の前記エリアの構成情報を格納するエリア情報格納部と、を備え、前記エリア情報格納部に格納された前記エリアの構成情報を参照して前記エリアの前記空調空間の状況を表すエリア環境データ値を前記エリア毎に取得するエリア環境データ値取得部と、前記嗜好格納部に格納した前記ユーザの嗜好と、前記属性格納部に格納した前記ユーザの属性と、前記エリア環境データ値取得部が取得した前記エリア環境データ値とに基づいて前記ユーザの前記エリアにおける快適性を示すエリア快適度値を生成するエリア快適度値生成部と、前記エリア快適度値生成部で生成した前記ユーザのエリア快適度値と、前記エリア環境データ値取得部が取得した前記エリア環境データ値と、を合成してエリア表示データを生成するエリア表示データ生成部と、を有し、前記表示部が、１つまたは複数の前記エリア表示データを表示すること、としてもよい。また、前記エリア快適度値生成部で生成した前記ユーザのエリア快適度値を代表するエリア快適度値基本統計量と、前記エリア環境データ値取得部が取得した前記エリア環境データ値を代表するエリア環境データ値基本統計量と、を算出するエリア基本統計量算出部と、を含み、前記エリア表示データ生成部は、前記ユーザのエリア快適度値と、前記エリア環境データ値と、前記エリア快適度値基本統計量と前記エリア環境データ値基本統計量の内のいずれか１つまたは複数と、を合成してエリア表示統合データを生成し、前記表示部が、１つまたは複数の前記エリア表示統合データを表示することとしてもよい。
【００１７】
また、本発明の快適度表示装置において、前記エリア基本統計量算出部が算出する前記エリア快適度値基本統計量は、以下の（１）から（５）のグループを有し、
（１）前記ユーザのエリア快適度値の時間平均値または空間平均値
（２）前記ユーザのエリア快適度値の時間中央値または空間中央値
（３）前記ユーザのエリア快適度値の時間最大値または空間最大値
（４）前記ユーザのエリア快適度値の時間最小値または空間最小値
（５）前記ユーザのエリア快適度値の時間最頻値または空間最頻値
前記エリア基本統計量算出部が算出する前記エリア環境データ値基本統計量は、以下の（６）から（１０）のグループを有すること、
（６）前記エリア環境データ値の時間平均値または空間平均値
（７）前記エリア環境データ値の時間中央値または空間中央値
（８）前記エリア環境データ値の時間最大値または空間最大値
（９）前記エリア環境データ値の時間最小値または空間最小値
（１０）前記エリア環境データ値の時間最頻値または空間最頻値
としてもよい。
【００１８】
このように、エリア毎のユーザのエリア快適度値と、エリア環境データ値とを合成して表示することにより、エリア毎に快適度と環境データとの関連性の傾向を把握でき、エリア毎の空調設備の交換、追設等の必要性を容易に判断できる。また、エリア快適度値基本統計量とエリア環境データ値基本統計量とを重ね合わせて表示することにより、エリアの快適度とエリアの環境データとの空間的な関連性の傾向を把握でき、空調空間内の特定エリアの空調設備の交換やパーティション等のビル設備の追設等の必要性を容易に判断できる。エリア快適度値基本統計量、エリア環境データ値基本統計量としては、快適度値、環境データ値のデータ群を代表する指標である平均値、中央値、最大値、最小値、最頻値を用いることで、データ群を包括的に把握することができる。
【００１９】
また、本発明の快適度表示装置において、前記エリア快適度値生成部で生成した前記ユーザのエリア快適度値を代表するエリア快適度値基本統計量と、前記エリア環境データ値取得部が取得した前記エリア環境データ値を代表するエリア環境データ値基本統計量と、を算出するエリア基本統計量算出部を含み、前記エリア表示データ生成部は、前記エリア快適度値基本統計量の内のいずれか１つと、前記エリア環境データ値基本統計量の内のいずれか１つを合成してエリア統計量表示データを生成し、前記表示部が、１つまたは複数の前記エリア統計量表示データを表示することとしてもよい。
【００２０】
本発明の快適度表示装置において、前記エリア表示データ生成部は、前記（１）のグループの前記エリア快適度値基本統計量に含まれる２つの値のいずれか一方と、前記（６）のグループの前記エリア環境データ値基本統計量に含まれる２つの値のいずれか一方、或いは、前記（２）のグループの前記エリア快適度値基本統計量に含まれる２つの値のいずれか一方と、前記（７）のグループの前記エリア環境データ値基本統計量に含まれる２つの値のいずれか一方、或いは、前記（３）のグループの前記エリア快適度値基本統計量に含まれる２つの値のいずれか一方と、前記（８）のグループの前記エリア環境データ値基本統計量に含まれる２つの値のいずれか一方、或いは、前記（４）のグループの前記エリア快適度値基本統計量に含まれる２つの値のいずれか一方と、前記（９）のグループの前記エリア環境データ値基本統計量に含まれる２つの値のいずれか一方、或いは、前記（５）のグループの前記エリア快適度値基本統計量に含まれる２つの値のいずれか一方と、前記（１０）のグループの前記エリア環境データ値基本統計量に含まれる２つの値のいずれか一方、を合成して前記エリア統計量表示データを生成することとしてもよい。
【００２１】
このように、エリア快適度値基本統計量とエリア環境データ値基本統計量を表示することにより、エリア毎の快適度と環境データとの関連性の傾向を把握でき、エリア毎の空調設備の交換、追設等の必要性を容易に判断できる。また、エリア快適度値基本統計量、エリア環境データ値基本統計量としては、快適度値、環境データ値のデータ群を代表する指標である平均値、中央値、最大値、最小値、最頻値を用いることで、データ群を包括的に把握することができる。
【００２２】
本発明の快適度表示装置において、前記エリア情報格納部に前記空調空間の前記エリアの構成情報を入力するエリア情報入力部を有することとしてもよい。
【００２３】
これにより、エリアの構成情報を容易に変更することができる。
【００２４】
本発明の快適度表示装置において、前記空調空間の機器に使用される電力データ値を取得する電力情報取得部を有し、前記表示データ生成部が、前記快適度値生成部で生成した前記ユーザの快適度値と、前記環境データ値取得部が取得した前記空調空間の環境データ値と、前記電力情報取得部が取得した電力データ値とを合成して前記表示データを生成することとしてもよい。
【００２５】
これにより、使用電力と快適度、環境データ値との関係を把握することができる。
【００２６】
本発明の快適度表示装置において、前記エリア快適度値生成部で生成した前記ユーザのエリア快適度値を代表するエリア快適度値基本統計量を算出するエリア基本統計量算出部と、前記エリア基本統計量算出部が算出する前記エリア快適度値基本統計量と、所定の閾値とを比較評価してエリア快適度評価を出力するエリア快適度評価部と、を有し、前記エリア表示データ生成部は、前記エリア快適度値生成部で生成した前記ユーザのエリア快適度値と、前記エリア環境データ値取得部が取得した前記エリア環境データ値と、前記エリア快適度評価部が出力した前記エリア快適度評価と、を合成して前記エリア表示データを生成することとしてもよい。
【００２７】
これにより、複数のエリアの中から快適性の低いエリアを容易に識別表示できる。また、エリア快適度評価を用いて複数のエリアの中から快適性の低いエリアを表示させて、より容易に快適性の低いエリアを容易に識別表示できる。
【００２８】
本発明の快適度表示装置において、前記ユーザの生体情報を格納する生体情報格納部と、前記ユーザの現在状態量と前記ユーザの現在位置とを取得するユーザ状態取得部と、を含み、前記快適度値生成部は、前記嗜好格納部に格納した前記ユーザの嗜好と、前記属性格納部に格納した前記ユーザの属性と、前記環境データ値取得部が取得した前記空調空間の環境データ値と、前記生体情報格納部に格納した前記ユーザの前記生体情報と、前記ユーザ状態取得部が取得した前記ユーザの現在状態量と前記ユーザの現在位置とに基づいて前記ユーザの前記空調空間における快適性を示す快適度値を生成することとしてもよい。
【００２９】
これにより、例えば、歩行した後など、ユーザの状態が平常と異なる場合でも快適性を正確に表示することができる。
【００３０】
本発明の快適度表示装置において、前記快適度値生成部で生成した離散値である前記ユーザの快適度値を補完して時間または空間に対する連続値とし、前記環境データ値取得部が取得した離散値である前記空調空間の環境データ値を補完して時間または空間に対する連続値とする補完部を含み、前記表示データ生成部が、前記ユーザの快適度値の時間または空間に対する連続値のいずれか一方と、前記空調空間の環境データ値の時間または空間に対する連続値のいずれか一方とを合成して連続表示データを生成し、前記表示部が、前記連続表示データを表示してもよい。
【００３１】
快適度値、環境データ値が連続線で表示されるので、表示が見やすくなり、より容易に快適度と環境データとの関連性を把握できる。
【００３２】
本発明の快適度表示装置において、前記ユーザの快適度値が快適限界範囲にない場合に異常を検出し、異常データを出力する異常検出部を含み、前記表示データ生成部は、前記異常検出部が出力した異常データと、前記ユーザの快適度値と、前記空調空間の環境データ値とを合成して異常表示データを生成し、前記表示部が、前記異常表示データを表示してもよい。
【００３３】
また、本発明の快適度表示装置において、前記ユーザの快適度値が快適限界範囲にない場合に異常を検出し、異常データを出力する異常検出部を含み、前記表示データ生成部は、前記異常検出部が異常を検出した前記ユーザの快適度値をそれ以外の前記ユーザの快適度値と識別できるように、前記ユーザの快適度値と前記空調空間の環境データ値とを合成して異常識別表示データを生成し、前記表示部が、前記異常識別表示データを表示してもよい。
【００３４】
これにより、管理者が不快者の存在に早期に気づき、早期に空調設備の調整を行うことができる。
【００３５】
本発明の快適度表示装置において、前記嗜好格納部は、タイプ別基準ユーザの空調環境に対する嗜好を格納し、前記属性格納部は、前記タイプ別基準ユーザの属性を格納し、前記空調空間の領域毎に、前記嗜好格納部に格納した前記タイプ別基準ユーザの嗜好と、前記属性格納部に格納した前記タイプ別基準ユーザの属性と、前記環境データ値取得部が取得した前記空調空間の環境データ値とに基づいて前記タイプ別基準ユーザの快適度値を生成し、前記タイプ別基準ユーザの快適度値が所定範囲にある場合にその領域をタイプ別推奨領域とするタイプ別推奨領域生成部を含み、前記表示データ生成部が、前記快適度値生成部で生成した前記ユーザの快適度値と、前記タイプ別推奨領域と、前記空調空間の環境データ値とを合成してタイプ別推奨領域表示データを生成し、前記表示部が、前記タイプ別推奨領域表示データを表示してもよい。
【００３６】
このように、暑がりタイプ、寒がりタイプ等のタイプ別に推奨領域を表示するので、ユーザが表示を見て自分の好みの場所に移動することを促すことができる。例えば、フリーアドレスオフィスの様に、どの場所に着席してもよい場合、各人が好みに応じて着席すれば全体の快適度、生産性を向上させることができる。
【００３７】
本発明の快適度表示装置であって、前記タイプ別推奨領域をプロジェクションマッピングまたは拡張現実で表示する移動先表示部を備えてもよい。
【００３８】
プロジェクションマッピングまたは拡張現実で表示することにより、ユーザが移動しやすくなり、全体の快適度、生産性をより向上させることができる。
【００３９】
本発明の快適度表示装置であって、前記空調空間の領域毎に、前記嗜好格納部に格納した前記ユーザの嗜好と、前記属性格納部に格納した前記ユーザの属性と、前記環境データ値取得部が取得した前記空調空間の環境データ値とに基づいて前記ユーザの快適度値を生成し、前記ユーザの快適度値が所定範囲にある場合にその領域をユーザ別推奨領域とするユーザ別推奨領域生成部を含み、前記表示データ生成部が、前記快適度値生成部で生成した前記ユーザの快適度値と、前記ユーザ別推奨領域と、前記空調空間の環境データ値とを合成してユーザ別推奨領域表示データを生成し、前記表示部が、前記ユーザ別推奨領域表示データを表示してもよい。
【００４０】
このように、ユーザの嗜好やユーザの属性を考慮して、ユーザが空調空間の中のどの場所に行けばよいかを自動的にリコメンドするので、ユーザはディスプレイの表示等を確認することなく、容易に快適な位置に移動することができる。
【００４１】
本発明の快適度表示装置において、前記ユーザの現在状態量と前記ユーザの現在位置とを取得するユーザ状態取得部を含み、前記快適度値生成部は、前記嗜好格納部に格納した前記ユーザの嗜好と、前記属性格納部に格納した前記ユーザの属性と、前記環境データ値取得部が取得した前記空調空間の環境データ値と、前記ユーザ状態取得部が取得した前記ユーザの現在状態量と前記ユーザの現在位置とに基づいて前記ユーザの現在の快適性を示す現在快適度値を生成し、前記現在快適度値が所定範囲にない場合には、前記ユーザの快適度値が所定範囲に入るまで前記ユーザの状態量を現在状態量から変更して、前記ユーザの嗜好と、前記ユーザの属性と、前記空調空間の環境データ値と、前記ユーザの現在位置とに基づいて前記ユーザの快適度値を繰り返し生成して、前記ユーザの快適度値が所定範囲に入る前記ユーザの変更状態量を確定し、前記ユーザの現在状態量と前記変更状態量の差に基づいて前記ユーザの推奨行動を生成する推奨行動生成部を含み、前記表示データ生成部は、前記快適度値生成部で生成した前記ユーザの前記現在快適度値と、前記空調空間の環境データ値と、前記推奨行動生成部が生成した前記推奨行動とを合成して推奨行動表示データを生成し、前記表示部が、前記推奨行動表示データを表示してもよい。
【００４２】
このように、ユーザの現在位置、現在状態量に基づいて、ユーザの快適性が向上する行動を推奨するので、ユーザの快適度、生産性を向上させることができる。
【００４３】
本発明の快適度表示装置は、タイプ別基準ユーザの空調環境に対する嗜好を格納した嗜好格納部と、前記タイプ別基準ユーザの属性を格納する属性格納部と、空調空間の状況を表す環境データ値を取得する環境データ値取得部と、前記空調空間の領域毎に、前記嗜好格納部に格納した前記タイプ別基準ユーザの嗜好と、前記属性格納部に格納した前記タイプ別基準ユーザの属性と、前記環境データ値取得部が取得した前記空調空間の環境データ値とに基づいて前記タイプ別基準ユーザの快適度値を生成し、前記タイプ別基準ユーザの快適度値が所定範囲にある場合にその領域をタイプ別推奨領域とするタイプ別推奨領域生成部と、前記タイプ別推奨領域と、前記空調空間の環境データ値とを合成してタイプ別推奨領域表示データを生成する表示データ生成部と、前記タイプ別推奨領域表示データを表示する表示部と、を有することを特徴とする。
【００４４】
このように、暑がりタイプ、寒がりタイプ等のタイプ別に推奨領域を表示するので、ユーザが表示を見て自分の好みの場所に移動することを促すことができる。
【００４５】
本発明の快適度表示装置は、ユーザの空調環境に対する嗜好を格納した嗜好格納部と、前記ユーザの属性を格納する属性格納部と、空調空間の状況を表す環境データ値を取得する環境データ値取得部と、前記空調空間の領域毎に、前記嗜好格納部に格納した前記ユーザの嗜好と、前記属性格納部に格納した前記ユーザの属性と、前記環境データ値取得部が取得した前記空調空間の環境データ値とに基づいて前記ユーザの快適度値を生成し、前記ユーザの快適度値が所定範囲にある場合にその領域をユーザ別推奨領域とするユーザ別推奨領域生成部と、前記ユーザ別推奨領域と、前記空調空間の環境データ値とを合成してユーザ別推奨領域表示データを生成する表示データ生成部と、前記ユーザ別推奨領域表示データを表示する表示部と、を有することを特徴とする。
【００４６】
このように、ユーザが空調空間の中のどの場所に行けばよいかを自動的にリコメンドするので、ユーザはディスプレイの表示等を確認することなく、容易に快適な位置に移動することができる。
【発明の効果】
【００４７】
本発明は、快適度と環境データとの関連性の把握を容易にし、適切な空調設備管理を可能とする。
【図面の簡単な説明】
【００４８】
【図１】第１実施形態における快適度表示装置の構成を示す機能ブロック図である。
【図２】図１に示す快適度表示装置を形成するコンピュータのハードウェア構成図である。
【図３】図１に示す快適度表示装置の嗜好格納部に格納されているユーザ嗜好データベースのデータベース構造を示す図である。
【図４】図１に示す快適度表示装置の属性格納部の格納されているユーザ属性データベースのデータベース構造を示す図である。
【図５】図１に示す快適度表示装置の動作を示すフローチャートである。
【図６】図１に示す快適度表示装置の表示例である（時間に対する温度と快適度の変化の表示例）。
【図７】図１に示す快適度表示装置の表示例である（空調空間内の温度と快適度の分布表示の例）。
【図８】第２実施形態における快適度表示装置の構成を示す機能ブロック図である。
【図９】図８に示す快適度表示装置の動作を示すフローチャートである。
【図１０】第３実施形態における快適度表示装置の構成を示す機能ブロック図である。
【図１１】図１０に示す快適度表示装置の動作を示すフローチャートである。
【図１２】図１０に示す快適度表示装置の表示例である（日にちに対する一日の平均温度と平均快適度の変化、および一月間の平均快適度の表示例）。
【図１３】図１２に示す表示において日付をクリックした際に表示されるその日の空調空間内の温度と快適度の分布表示例である。
【図１４】図１２に示す表示において日付をクリックした際に表示されるその日の空調空間内の温度と快適度の他の分布表示例である。
【図１５】図１０に示す快適度表示装置の表示例である（空調空間内の温度と快適度のエリア平均値の表示例である）。
【図１６】第４実施形態における快適度表示装置の構成を示す機能ブロック図である。
【図１７】図１６に示す快適度表示装置の動作を示すフローチャートである。
【図１８】第５実施形態における快適度表示装置の構成を示す機能ブロック図である。
【図１９】図１８に示す快適度表示装置の動作を示すフローチャートである。
【図２０】図１８に示す快適度表示装置の他の動作を示すフローチャートである。
【図２１】第６実施形態における快適度表示装置の構成を示す機能ブロック図である。
【図２２】図２１に示す快適度表示装置の動作を示すフローチャートである。
【図２３】図２１に示す快適度表示装置のタイプ別推奨領域表示の例である。
【図２４】第７実施形態における快適度表示装置の構成を示す機能ブロック図である。
【図２５】第８実施形態における快適度表示装置の構成を示す機能ブロック図である。
【図２６】図２５に示す快適度表示装置の動作を示すフローチャートである。
【図２７】第９実施形態における快適度表示装置の構成を示す機能ブロック図である。
【図２８】第１０実施形態における快適度表示装置の構成を示す機能ブロック図である。
【図２９】図２８に示す快適度表示装置の動作を示すフローチャートである。
【図３０】図２８に示す快適度表示装置の表示例である（空調空間内の温度分布と現在位置での現在快適度値と推奨行動を表示した例）。
【図３１】第１１実施形態における快適度表示装置の構成を示す機能ブロック図である。
【図３２】図３１に快適度表示装置のタイプ別推奨領域表示の例である（空調空間内の温度分布と快適度の分布とタイプ別推奨範囲とを表示した例）。
【図３３】第１２実施形態における快適度表示装置の構成を示す機能ブロック図である。
【図３４】第１３実施形態における快適度表示装置の構成を示す機能ブロック図である。
【図３５】図３４に示す快適度表示装置の動作を示すフローチャートである。
【図３６】図３４に示す快適度表示装置の表示例であり、空調空間内の温度と快適度をエリア毎に表示した表示例である。
【図３７】図３４に示す快適度表示装置の表示例であり、時間に対する温度と快適度の変化をエリア毎に表示した表示例である。
【図３８】第１４実施形態における快適度表示装置の構成を示す機能ブロック図である。
【図３９】図３８に示す快適度表示装置の動作を示すフローチャートである。
【図４０】図３８に示す快適度表示装置の表示例であり、空調空間内の温度と快適度をエリア毎に表示した表示例である。
【図４１】第１５実施形態における快適度表示装置の構成を示す機能ブロック図である。
【図４２】図４１に示す快適度表示装置の動作を示すフローチャートである。
【図４３】図４１に示す快適度表示装置の表示例であり、日にちに対する一日の平均温度と平均快適度の変化、および一月間の平均快適度をエリア毎に表示した表示例である。
【図４４】第１６実施形態における快適度表示装置の構成を示す機能ブロック図である。
【図４５】第１７実施形態における快適度表示装置の構成を示す機能ブロック図である。
【図４６】図４５に示す快適度表示装置の動作を示すフローチャートである。
【図４７】第１８実施形態における快適度表示装置の構成を示す機能ブロック図である。
【図４８】図４７に示す快適度表示装置の動作を示すフローチャートである。
【図４９】第１９実施形態における快適度表示装置の構成を示す機能ブロック図である。
【図５０】図４９に示す快適度表示装置の動作を示すフローチャートである。
【発明を実施するための形態】
【００４９】
以下、図面を参照しながら実施形態について説明する。
【００５０】
＜第１実施形態＞
図１に示すように、第１実施形態の快適度表示装置１００は、嗜好格納部１０１と、属性格納部１０２と、環境データ値取得部１０３と、快適度値生成部１０４と、表示データ生成部１０５と、表示部１０６とを含んでいる。快適度表示装置１００は、図２に示す汎用コンピュータ１０によって実現できる。
【００５１】
図２に示すように、汎用コンピュータ１０は、情報処理を行うＣＰＵ２１と、情報処理の際にデータを一時的に記憶するＲＯＭ２２、ＲＡＭ２３と、プログラムやユーザのデータ等を格納するハードディスクドライブ（ＨＤＤ）２４と、入力手段として設けられたマウス２５と、キーボード２６、及び表示装置として設けられたディスプレイ２７とを含んでいる。ＣＰＵ２１とＲＯＭ２２とＲＡＭ２３とＨＤＤ２４とはデータバス３０によって接続されている。また、マウス２５とキーボード２６とディスプレイ２７とは入出力コントローラ２８を介してデータバス３０に接続されている。また、データバス３０には通信手段として設けられたネットワークコントローラ２９が接続されている。
【００５２】
快適度表示装置１００の環境データ値取得部１０３、快適度値生成部１０４、表示データ生成部１０５は、図２に示す汎用コンピュータ１０のハードウェアとＣＰＵ２１で動作するプログラムとの協調動作により実現される。また、嗜好格納部１０１、属性格納部１０２は、図２に示す汎用コンピュータ１０のＨＤＤ２４によって実現され、表示部１０６はディスプレイ２７によって実現される。嗜好格納部１０１、属性格納部１０２は、ＲＡＭ２３又は外部の記憶手段をネットワーク経由で利用してもよい。
【００５３】
嗜好格納部１０１は、ユーザの空調環境に対する嗜好を格納したものである。空調環境に対する嗜好とは、例えば、温度に対する嗜好としての「暑がり」、「寒がり」、温度・風速に関する嗜好である「冷え症」、湿度に関する嗜好である「乾燥肌」等である。
【００５４】
嗜好格納部１０１には図３に示すようなユーザ嗜好データベース９０１が格納されている。図３に示すように、ユーザ嗜好データベース９０１は、ユーザ名、ユーザＩＤ番号と、そのユーザの「暑がり」、「寒がり」、「冷え性」、「乾燥肌」の各項目に該当するどうかのデータがリンクされたものである。図３において「〇」はその項目に該当することを示し、「−」はその項目に該当しないことを示す。
【００５５】
なお、「冷え性」や「乾燥肌」は、ユーザの嗜好ではなく、人体の特性に依存するとも考えられるが、後述する属性情報のような客観性のある情報とは異なり、当該ユーザの主観的な情報と考えられることから、本実施形態では、属性情報ではなく嗜好情報として扱うものとする。
【００５６】
属性格納部１０２は、ユーザの属性を格納したものである。ユーザの属性とは、例えば、ユーザの年齢、性別、身長、体重、体脂肪率、座席位置等である。属性格納部１０２には、図４に示すようにユーザ名、ユーザＩＤ番号と、そのユーザの年齢、性別、身長、体重、体脂肪率、座席位置等の属性情報がリンクされたユーザ属性データベース９０２が格納されている。図７に示すように空調空間４０の中に事務机４１と椅子４２とが２列×３段に配置されている場合、座席位置は、事務机４１、椅子４２の配置されている列名と段番号との組み合わせで表示されている。例えば、「Ａ−１」の場合は、座席位置がＡ列１番であることを示す。
【００５７】
環境データ値取得部１０３は、図７に示す空調空間４０の状況を示す環境データ値を取得する。ここで、環境データ値とは、例えば、空調空間４０の中の温度、湿度、風速等であり、環境データ値取得部１０３は、温度センサ、湿度センサ、風速センサ等の各種センサによって各環境データ値を取得する。
【００５８】
快適度値生成部１０４は、嗜好格納部１０１に格納されたユーザの嗜好と、属性格納部１０２に格納されたユーザの属性と、環境データ値取得部１０３が取得した空調空間４０の環境データ値とに基づいて、ユーザの空調空間４０における快適性を示す快適度値を生成する。
【００５９】
快適度値生成部１０４は、快適性を示す指標であるＰＭＶを用いて下記の式（１）によって快適度値を生成する。
快適度値＝α×ＰＭＶ＋β×Ｆ−γ×Ｒ−δ    ・・・・・・・・・      （１）
快適度値は、ＰＭＶと同様、０が中立、＋１がやや暖かい、＋２は暖かい、＋３は暑いと感じ、逆に−１はやや涼しい、−２は涼しい、−３は寒いと感じることを示す。
【００６０】
ＰＭＶは、人間が暖かいと感じるか、寒いと感じるかを「７段階評価尺度による数値」で表す快適性指標である。ＰＭＶは、人体の熱的快適感に影響する要素として、温度、湿度、風速、輻射温度の４つの物理的要素と、着衣量、運動量の２つの人間側の要素の合成６つの要素を考慮した理論式（下記の式（２））によって計算される。ここで、４つの物理的要素は、環境データ値取得部１０３によって取得した値を用いる。また、着衣量、運動量は、オフィスワークの際の標準的な着衣量、運動量を用いる。なお、着衣量は、サーモカメラによって皮膚の温度と服の温度とを測定しその温度差から推定した値を用い、運動量は監視カメラ等の画像を分析して求めた値を用いるようにしてもよい。
ＰＭＶ＝（０．３０３ｅ−０．０３６Ｍ＋０．０２８Ｌ）×Ｌ  ・・・・・    （２）
ここで、Ｌは、人体の熱負荷（Ｗ／ｍ２）、Ｍは代謝量（Ｗ／ｍ２）である。
ＰＭＶは、０が中立、＋１がやや暖かい、＋２は暖かい、＋３は暑いと感じ、逆に−１はやや涼しい、−２は涼しい、−３は寒いと感じることを示す。−０．５＜ＰＭＶ＜０．５がＩＳＯによるＰＭＶ値の推奨範囲とされている。
【００６１】
式（１）において、Ｆは嗜好情報の影響度、Ｒは属性情報の影響度である。また、α、β、γ、δは係数であり、ユーザの特性によって変更する。例えば、夏期であればα＝１．２３、β＝−０．０４５、γ＝−０．４９、δ＝１．０５などと設定する。また、嗜好情報の影響度Ｆ及び属性情報の影響度Ｒをそれぞれ以下の式（３）、（４）のように算出
する。
Ｆ＝ａ×Ｆ１＋ｂ×Ｆ２＋・・・        ・・・・・・・・      （３）
Ｒ＝ｐ×Ｒ１＋ｑ×Ｒ２＋・・・        ・・・・・・・・      （４）
ここで、Ｆ１，Ｆ２，・・・は、「暑がり」、「寒がり」、「冷え性」、「乾燥肌」等のユーザの嗜好の各要素の度合いを示す数値である。嗜好情報の影響度Ｆは、嗜好情報に含まれる１又は複数の要素に基づき算出される。また、Ｒ１，Ｒ２，・・・は、「年齢」、「性別」、「身長」、「体重」、「体脂肪率」、「座席位置」等のユーザの属性の各要素の度合いを示す数値である。属性情報の影響度Ｒは、属性情報に含まれる１又は複数の要素に基づき算出される。また、ａ、ｂ、・・・、ｐ、ｑ、・・・は係数である。
【００６２】
なお、快適性を示す指標としてＰＭＶに代えて、気温・湿度・気流・放射熱・着衣量をもとに、気流の無い相対湿度５０％の場合と同じ体感となる気温で表すＳＥＴ＊（Ｓｔａｎｄａｒｄ  ｎｅｗ  Ｅｆｆｅｃｔｉｖｅ  Ｔｅｍｐｅｒａｔｕｒｅ、新標準有効温度）等を用いるようにしてもよい。また、湿球黒球温度ＷＢＧＴ、有効温度ＥＴ、新有効温度ＥＴ＊、ＯＵＴ＿ＳＥＴ＊、作用温度ＯＴ、湿り作用温度ＨＯＴ、標準湿り作用温度ＳＨＯＴ、修正湿り作用温度ＨＯＴＶ、修正新有効温度ＥＴＶ、総合有効温度ＥＴＵ、熱ストレス指数ＨＳＩ、不快指数ＴＨＩ、温冷感指数ＴＳＩ、ＰＥＴ、ＥＴＦｅ、ＵＴＣＩ、平均放射温度ＭＲＴ、ｔ＊ｍｒｔ、ＯＵＴ＿ＭＲＴ、風冷指数ＷＣＩ、修正有効温度ＣＥＴ等に基づいて快適度値を生成するようにしてもよい。
【００６３】
湿球黒球温度ＷＢＧＴは、熱中症予防のために作成された実験式である。気温と湿度に加え、気流と放射も考慮しており、下記の式（５）で計算される。
ＷＢＧＴ（屋外）＝０．７Ｔｗ＋０．２Ｔｇ＋０．１Ｔ    ・・・    （５）
ここでＴ：乾球温度（℃）、Ｔｗ：自然湿球温度（℃）、Ｔｇ：黒球温度（℃）、Ｔｗ：暴露した自然湿球温度（℃）。
【００６４】
有効温度ＥＴは、現実環境と同じ温熱感覚を与える相対湿度１００％、無風時の気温である。新有効温度ＥＴ＊は、気温、湿度、気流、放射、着衣量、代謝を総合的に評価できる熱平衡式に基づいた指標である。２ノードモデルにより発汗による体温調節機能を考慮した温度である。新有効温度ＥＴ＊では、標準環境の相対湿度は５０％である。新標準有効温度ＳＥＴ＊は、相対湿度５０％に加え、標準環境として風速０．１３５ｍ／ｓ、代謝量Ｍ（ｍｅｔ）、以下の式（６）で表される標準着衣量を与え、異なった条件の温熱環境の比較を可能にしたものである。
Icl・s＝１．３３ ／（Ｍ＋０．７４）−０．０９５    ・・・    （６）
【００６５】
作用温度ＯＴは、気温と放射のみを考慮した指標で、乾球温度Ｔと平均放射温度Ｔｒの加重平均値である。下記の式（７）で計算される。
ＯＴ＝（ｈｃ×Ｔ＋ｈｒ＊Ｔｒ）／（ｈｃ＋ｈｒ）    ・・・    （７）
ここで、Ｔ：乾球温度（℃）、Ｔｒ：平均放射温度（℃）、ｈｃ：対流熱伝達率（Ｗ／℃ｍ２）、ｈｒ：放射熱伝達率（Ｗ／℃ｍ２）。
【００６６】
湿り作用温度ＨＯＴは、作用温度ＯＴに湿度の影響を評価できるようにした指標である。現実の温熱環境におかれた人体からの熱損失量が皮膚からの蒸散による熱損失量と等しくなる相対湿度１００％の気温で表現される。
【００６７】
標準湿り作用温度ＳＨＯＴは、標準風速（０．１ｍ／ｓ）を用いて湿り作用温度ＨＯＴに気流の影響を組み込んだものである。標準着衣量（０．６ｃｌｏ）、標準相対湿度（１００％）の環境を基準としている。
【００６８】
修正湿り作用温度ＨＯＴＶは、気流、放射、湿度の影響の温度換算値を、温熱風速場（ＴＶＦ）、有効放射場（ＥＲＦ）、減効湿度場（ＲＨＦ）で表現できる指標。下記の式（８）で計算される。ただし、日射及び伝導の影響は含まれていない。
ＨＯＴＶ＝Ｔ＋（ＴＶＦ／Ｋｔｖ）＋（ＥＲＦ／Ｋｔｖ）＋（ＲＨＦ／Ｋｔｖ）  ・（８）
ここで、Ｔ：乾球温度（℃）、Ｋｔｖ：人体の湿り総合熱伝達率（Ｗ／℃ｍ２）である。
【００６９】
修正新有効温度ＥＴＶは、相対湿度１００％を基準としているＨＯＴＶを相対湿度５０％基準に変換した指標である。減効湿度場（ＲＨＦ）に代わり、有効湿度場（ＥＨＦ）を用いて定義される。ただし、日射及び伝導の影響は含まれていない。下記の式（９）で表される。
ＥＴＶ＝Ｔ＋（ＴＶＦ／ｈｖ）＋（ＥＲＦ／ｈｖ）＋（ＥＨＦ／ｈｖ）  ・・  （９）
ここで、Ｔ：乾球温度(℃)、ｈｏ：基準対流熱伝導率（Ｗ／℃ｍ２）、ｈｒ：放射熱伝達率（Ｗ／℃ｍ２）、ｈｖ＝ｈｏ×Fclo＋ｈｒ×Fcl、Fclo：基準着衣の伝導効率（ＮＤ）、Fcl：着衣の伝導効率（ＮＤ）である。
【００７０】
総合有効温度ＥＴＵは、日射と伝導の影響を組み込み、屋外熱環境にも不均一熱環境にも適用可能とした指標であり、下記の式（１０）で表される。
ＥＴＵ＝ｔａｏ＋（ΣＮＵＡＴＦｉ／ｈｕ）＋（ΣＴＶＦｉ／ｈｕ）
＋（ΣＥＲＦＬｉ／ｈｕ）＋（ΣＴＶＦｒｉ／ｈｕ）
＋（ΣＥＲＦＳｉ／ｈｕ）＋（ΣＥＨＦｉ／ｈｕ）
＋（ΣＴＶＦｅｉ／ｈｕ）＋（ΣＳＥＣＦｊ／ｈｕ）  ・・  （１０）
ここで、ｔａｏ：代表気温（℃）、ＮＵＡＴＦｉ：代表気温と部位ｉ周辺の気温との差の影響を表す不均一気温場（Ｗ／ｍ２）、ＴＶＦｉ：人体に対する風速の影響を表す温熱風速場（Ｗ／ｍ２）、ＥＲＦＬｉ：人体に対する長波長放射の影響を表す長波長有効放射場（Ｗ／ｍ２）、ＴＶＦｒｉ：評価対象の環境条件と基準条件との差によって生じる長波放射による有効な温度変化を表す場（Ｗ／ｍ２）、ＥＲＦＳｉ：人体に対する短波放射(日射)の影響を表す短波長有効放射場（Ｗ／ｍ２）、ＦＨＦｉ：人体に対する湿度の影響を表す有効湿度場（Ｗ／ｍ２）、ＴＶＦｅｉ：評価対象の環境条件と基準条件との差によって生じる蒸発による有効な水蒸気圧変化を表す場（Ｗ／ｍ２）、ＳＥＣＦｊ：代表部材に基づいて人体に対する接触面での伝導の影響を表す標準有効伝導場（Ｗ／ｍ２）、ｈｕ＝ｈｖ×ｆｎ＋ｈｄｏ×ｆｄ、ｈｖ＝ｈｃｏ×Fcleo＋ｈｒ×Fcle、ｈｄｏ：代表部材の熱コンダクタンス（Ｗ／ｍ２）、ｆｎ：全人体皮膚面積に対する非接触面積の比（ＮＤ）、ｆｄ：全人体皮膚面積に対する接触面積の比（ＮＤ）、ｈｃｏ：基準条件における対流熱伝達率（Ｗ／Ｋｍ２）、ｈｒ：放射熱伝達率（Ｗ／ｍ２）、Fcleo：基準条件における有効伝熱効率（ＮＤ）、Fcle：着衣の有効伝熱効率（ＮＤ）。
【００７１】
熱ストレス指数ＨＳＩは、人体の水分蒸発に着目した指数である。皮膚温を３５℃に仮定した人体の熱平衡式より求める。下記の式（１１）参照。
ＨＩＳ（％）＝（Ｅ／Ｅｍａｘ）×１００    ・・・・    （１１）
ここで、Ｅ：人体が熱平衡を保つために必要な蒸発放散量（Ｗ／ｍ２）、Ｅｍａｘ：人体が完全に濡れた状態時の最大可能蒸発放熱量（Ｗ／ｍ２）。
【００７２】
不快指数ＴＨＩは、気温と湿度を総合的に評価できる主観的経験的指標である。ＴＨＩが７０で１０％、７５で５０％、８０で１００0％が不快と感じる。下記の式（１２）または、式（１３）で計算される。
ＴＨＩ＝０．７２（Ｔｖ＋Ｔｗ）＋４０．６    ・・・・    （１２）
ＴＨＩ＝０．８１Ｔ＋０．０１ＲＨ（０．９９Ｔ−１４．３）＋４６．３  ・（１３）
ここで、Ｔ：乾球温度（℃）、Ｔｖ：湿球温度（℃）、ＲＨ：相対湿度（％）。
【００７３】
温冷感指数ＴＳＩは、人体熱収支解析によらず、数値プログラムを用いる必要のない簡易な指標として提案された指標。屋外における放射・風の影響を考慮している。下記の式（１４）で計算される。
ＴＳＩ＝ａ１（√Ｕ＋ａ２）×（Ｔｂ−Ｔｏ）＋ａ３    ・・  （１３）
ここで、Ｕ：風速（ｍ／ｓ）、Ｔｏ：作用温度（℃）、Ｔｂ：基準温度（３６．８℃）、ａ１，ａ２，ａ３：無次元定数。
【００７４】
ＰＥＴは、ＰＭＶから発展させた指標で、欧州で多く用いられている。人体の熱収支に基づき、気温、放射、風速、湿度の影響を統合して表す。
【００７５】
ＥＴＦｅは、気温、風速、湿度、屋外での長波長放射、日射の他、姿勢の違いや接触している物質の表面温度も考慮された指標である。各有効場を除す熱伝導率が風速の関数であり、風速と独立しているはずの日射による温度変化量が風速の影響を受ける。下記の式（１４）で計算される。
ＥＦＴｅ＝Ｔ＋（ＴＶＦｈｔａ／ｈｆＬ）＋（ＥＲＦｈｔａＬ／ｈｆＬ）
＋（ＥＣＦｈｔａ／ｈｆＬ）＋（ＥＨＦＥＴＦｅ／ｈｆＬ）
＋（ＥＲＦｈｔａＳ／ｈｆＬ）    ・・・・・・・・・・・・    （１４）
ここで、Ｔ：乾球温度（℃）、ＴＶＦｈｔａ：対流熱輸送に係る温熱風速場（Ｗ／ｍ２）、ＥＲＦｈｔａＬ：屋外空間の長波長放射が考慮された長波長有効放射場（Ｗ／ｍ２）、ＥＣＦｈｔａ：人体に対する接触面での伝導の影響を表す有効伝導場（Ｗ／ｍ２）、ＥＨＦＥＴＦｅ：湿度の影響を表す有効湿度場（Ｗ／ｍ２）、ＥＲＦｈｔａＳ：日射量の影響を表す屋外空間における短波長有効放射場（Ｗ／ｍ２）、ｈｆＬ：屋外における長波長放射を考慮した放射熱伝達率（Ｗ／ｍ２ｋ）。
【００７６】
ＵＴＣＩは、国際生気象学会により提唱されている指標である。ＵＴＣＩ−Ｆｉａｌａ  ＭＮモデルによる熱収支計算に基づき、気温、放射、風速、湿度の影響を統合して表す。標準状態は、２．３ＭＥＴ（４ｋｍ／ｈの歩行）、風速０．５ｍ／ｓ（観測高度１０ｍ）、気温と同等の平均放射温度、相対湿度５０％（気温２９℃より大きい場合は２０ｈｐａ）としている。
【００７７】
平均放射温度ＭＲＴは、体感指標の算出の際に放射のパラメータとして用いられる。周囲の全方向から受ける放射熱を平均化した周辺表面の平均温度表示を言う。以下の式（１５）で計算される。
ｔｒ＝Σ（ｔｉ×Φｉ）          ・・・・・・・・・・・・    （１５）
ここで、ｔｉ：面i の表面温度（℃）、φｉ：面ｉの形態係数（ＮＤ）。
【００７８】
平均放射温度ｔ＊ｍｒｔは、日射を考慮した平均放射温度の一つである。以下の式（１６）で計算される。
ｔ＊ｍｒｔ＝［ｔｍｒｔ４＋ｆｐ×ａｋ×（Ｉ＊／εｐ・σ）］０．２５−２７３．２  ・（１６）
ここで、ｔｍｒｔ：直達日射を含まない平均放射温度、ｆｐ：人体投影面積率（ＮＤ）、ａｋ：短波長放射に対する吸収率（ＮＤ）、Ｉ＊：法線面直達日射量（Ｗ／ｍ２）、εｐ：着衣人体の放射率（＝０．９７（ＮＤ））、σ：ステファンボルツマン定数（５．６７×１０−８ （Ｗ／ｍ２Ｋ４））。
【００７９】
ＯＵＴ＿ＭＲＴは、日射を考慮した平均放射温度の一つである。ＯＵＴ＿ＳＥＴ＊は、ＭＲＴの入力項にＯＵＴ＿ＭＲＴを用いることで日射加味した指標である。
【００８０】
風冷指数ＷＣＩは、冬季の凍傷、低体温症予防に利用される指数であり、次の式（１７）のように、気温と風速の関数式から計算される。
ＷＣＩ＝（３３−Ｔ）×（１０．４５＋１０Ｕ０．５−Ｕ）  ・・・・    （１７）
ここで、Ｔ：乾球温度（℃）、Ｕ：風速（ｍ／ｓ）。
【００８１】
修正有効温度ＣＥＴは、有効温度ＥＴに周壁面の放射効果を加え，修正をおこなった指標である。有効温度ＥＴの乾球温度の代わりにグローブ温度計を用いる。
【００８２】
表示データ生成部１０５は、快適度値生成部１０４が生成した快適度値と環境データ値取得部１０３が取得した環境データ値とを重ね合わせて表示部１０６で表示できるように、２つのデータを合成して表示データとして表示部１０６に出力するものである。
【００８３】
表示部１０６は、表示データ生成部１０５から入力された表示データを表示する図２に示すディスプレイ２７である。
【００８４】
以上の様に構成された本実施形態の快適度表示装置１００の動作と表示部１０６の表示について、図５−７を参照しながら説明する。
【００８５】
図５のステップＳ１０１、Ｓ１０２に示すように、快適度値生成部１０４は、嗜好格納部１０１からユーザの嗜好データを、属性格納部１０２からユーザの属性データを読み出す。また、図５のステップＳ１０３に示すように、快適度値生成部１０４は、環境データ値取得部１０３から環境データ値を取得する。そして、図５のステップＳ１０４に示すように、快適度値生成部１０４は、先に説明した式（１）から（４）を用いてユーザの快適度値を生成する。図５のステップＳ１０５に示すように、表示データ生成部１０５は、快適度値生成部１０４が生成した快適度値と環境データ値取得部１０３から取得した環境データ値とを合成して表示データを生成して表示部１０６に出力する。図５のステップＳ１０６に示すように、表示部１０６は 、入力された表示データを表示する。
【００８６】
図６は、表示部１０６の表示の例を示す。図６は、図７にＸＹ平面で示される空調空間４０の中の特定の位置における温度の変化とユーザの快適度の時間変化を示す図である。ここで、空調空間４０は、図７に示すように、床に事務机４１と椅子４２が配置され、天井に空調機の吹き出し口４３が配置されたものである。また、空調空間４０は、パーティション４４で仕切られている。事務机４１、椅子４２は、Ａ列、Ｂ列の二列で１番から３番まで３段に配置されている。座席位置は、［列名−段番号］で表され、図６に示す、Ｐｏｉｎｔ［Ａ−１］は、Ａ列１番の座席位置を示す。図６には、図７に示す空調空間４０の中のＡ列１番の座席位置における温度の時間変化を示す実線Ｔと、標準的なユーザＡの快適度を示す破線ａと、寒がりのユーザＢの快適度を示す二点鎖線ｂと、暑がりのユーザＣの快適度を示す一点鎖線ｃとが表示されている。ここで、標準的なユーザＡは、「暑がり」でも「寒がり」でも「冷え性」でも「乾燥肌」でもなく、「年齢」、「身長」、「体重」、「体脂肪率」等がその会社の平均値のユーザである。寒がりのユーザＢは、「寒がり」で「冷え性」で、「体重」、「体脂肪率」がその会社の標準よりも小さい女性のユーザである。暑がりのユーザＣは、「暑がり」で、「体重」、「体脂肪率」がその会社の標準よりも大きい男性のユーザである。
【００８７】
なお、実線Ｔで示す温度、破線ａ、二点鎖線ｂ、一点鎖線ｃで示すユーザＡ、Ｂ、Ｃの各快適度値は時間に対する離散値であるが、図６では、各離散値を補完して滑らかな線として表示している。この補完については後で第４実施形態として説明する。
【００８８】
図６に示すように、温度の比較的高い時間帯では、一点鎖線ｃで示す暑がりのユーザＣは、暖かく、あまり快適ではないと感じ、快適度値は＋１程度になっている。一方、同様の温度でも、二点鎖線ｂで示す寒がりのユーザＢは暑くもなく、寒くもなく快適な状況と感じ、快適度値は０程度となっている。また、標準的なユーザＡの感じる快適度はユーザＢとユーザＣとの中間の０．２程度となっている。
【００８９】
反対に、温度の比較的低い時間帯では、一点鎖線ｃで示す暑がりのユーザＣは、暑くもなく、寒くもなく快適な状況と感じ、快適度値は０程度となっている。一方、同様の温度でも、二点鎖線ｂで示す寒がりのユーザＢは、涼しく、あまり快適ではないと感じ、快適度値は−１程度になっている。また、標準的なユーザＡの感じる快適度はユーザＢとユーザＣとの中間の−０．５程度となっている。
【００９０】
図６の表示から、空調設備の管理者は、ユーザＡ、Ｂ、Ｃの快適度値の変化と温度の相関関係を把握することができる。そして、例えば、座席位置Ａ−１に暑がりのユーザＣが着席している場合には、座席位置Ａ−１の温度が少し低めになるように空調装置の設定温度を調節することができる。また、逆に座席位置Ａ−１に寒がりのユーザＢが着席している場合には、座席位置Ａ−１の温度が少し高めになるように空調装置の設定温度調整することができる。
【００９１】
また、快適度表示装置１００は、図７に示すように、ある時刻におけるＸＹ平面で示す空調空間４０の中の温度分布の上に、その時刻における各座席位置に座っているユーザの快適度を示すマークを重ね合わせて表示部１０６に表示させることができる。先に説明したように、図７に示す空調空間４０は、床に事務机４１、椅子４２が配置され、天井に空調機の吹き出し口４３が配置され、パーティション４４で仕切られたものである。各椅子４２の中央にはユーザの快適度を示す顔のマークが表示されている。図７において、笑顔のマークは、ユーザが快適と感じていることを示すもので、その座席位置でのそのユーザの快適度値が−０．５から＋０．５の範囲に対応する。また、口をへの字にした不快顔のマークは、その座席位置でのそのユーザが暖かい、あるいは涼しいと感じている場合、換言するとユーザが不快と感じている場合を示すもので、快適度値が＋１．５を超える場合、あるいは−１．５より小さい場合に対応する。また、通常の顔のマークは、ユーザがその中間でやや暖かい、あるいは、やや涼しいと感じている場合、換言すると、ユーザが快適と不快の中間で、快適ではないが不快ではないと感じている場合を示すもので、快適度値が０．５〜１．５、−０．５〜−１．５の間に対応する。このような表示により、ある時刻において、空調空間４０の中で温度がどのように分布しており、各ユーザがどのように感じているかを容易に認識できる。
【００９２】
また、空調管理者は、図７に示す表示に基づいて、空調空間４０の中のどの位置の設定温度を調整すれば良いかを容易に判断することができる。例えば、座席位置Ａ−２のユーザが不快顔で表示されており、このユーザが「暑がり」の場合、空調管理者は、このユーザの座る座席位置Ａ−２近傍への冷風量が多くなるようにルーバの方向を変更したり、冷風の温度が低くなるように温度設定を下げたりというように、空調機の設定を調整することができる。また、逆に、例えば、座席位置Ａ−２のユーザ「寒がり」、「冷え性」の場合、空調管理者は、このユーザの座る座席位置Ａ−２近傍への冷風量が少なくなるようにルーバの方向を変更したり、冷風の温度が高くなるように温度設定を上げたりというように、空調機の設定を調整することができる。
【００９３】
このように、本実施形態の快適度表示装置１００は、快適度値と環境データ値とを表示部１０６に重ね合わせて表示するので、快適度と環境データとの関連性を容易に把握でき、空調管理者が適切に空調設備の調整を行うことを可能にする。
【００９４】
＜第２、第３実施形態＞
次に図８、図９を参照しながら第２実施形態の快適度表示装置２００について説明し、図１０、図１１を参照しながら第３実施形態の快適度表示装置２５０について説明する。その後、図１２から図１５を参照しながら快適度表示装置２００、２５０の表示例について説明する。
【００９５】
＜第２実施形態＞
図８に示すように、第２実施形態の快適度表示装置２００は、図１を参照して説明した快適度表示装置１００に基本統計量算出部２０７を追加したものである。快適度表示装置２００を構成する、嗜好格納部２０１、属性格納部２０２、環境データ値取得部２０３、快適度値生成部２０４、表示部２０６は、図１を参照して説明した快適度表示装置１００の嗜好格納部１０１、属性格納部１０２、環境データ値取得部１０３、快適度値生成部１０４、表示部１０６と同様であるので、説明は省略する。
【００９６】
基本統計量算出部２０７は、快適度値基本統計量と環境データ値基本統計量とを算出すする。ここで、快適度値基本統計量は、快適度値生成部２０４で生成したユーザの快適度値を代表する基本統計量で、以下の（１）から（５）のグループを有している。
（１）ユーザの快適度値の時間平均値または空間平均値
（２）ユーザの快適度値の時間中央値または空間中央値
（３）ユーザの快適度値の時間最大値または空間最大値
（４）ユーザの快適度値の時間最小値または空間最小値
（５）ユーザの快適度値の時間最頻値または空間最頻値
【００９７】
また、環境データ値基本統計量は、環境データ値取得部２０３が取得した空調空間４０の環境データを代表する基本統計量で、以下の（６）から（１０）のグループを有している。
（６）空調空間の環境データ値の時間平均値または空間平均値
（７）空調空間の環境データ値の時間中央値または空間中央値
（８）空調空間の環境データ値の時間最大値または空間最大値
（９）空調空間の環境データ値の時間最小値または空間最小値
（１０）空調空間の環境データ値の時間最頻値または空間最頻値
【００９８】
ここで、時間平均値とは、例えば、一日、一週間、一か月等の所定期間における各平均値である。また、空間平均値とは、例えば、図７中にＸＹで示す空調空間４０をいくつかのブロックに区切り、そのブロック内におけるユーザの快適度の平均値、あるいは、そのブロック内における環境データ値の平均値である。つまり、所定空間における平均値である。
【００９９】
同様に、時間中央値、空間中央値は、それぞれ所定期間、所定空間における中央値であり、時間最大値、空間最大値は、それぞれ所定期間、所定空間における最大値であり、時間最小値、空間最小値は、それぞれ所定期間、所定空間における最小値であり、時間最頻値、空間最頻値は、それぞれ所定期間、所定空間における最頻値である。
【０１００】
よく知られているように、平均値は、データの値をすべて足して、その個数で割った数値であり、データの分布の中心を表す指標として用いられることが多い。ただし、データが正規分布に近い場合はデータの分布の中心を示すが、分布が偏っている場合には、必ずしもデータの分布の中心を示さない場合がある。中央値は、データを昇順に並べた場合の真ん中の値である。最頻値は、データの集合の中で、最も頻繁に現れる値のことである。平均値がデータの分布の中心を示さない場合には、中央値、最頻値を用いることによりデータの分布の中心をより正確に把握できる場合がある。また、最大値、最小値は、データの値の広がりの幅を示す指標であり、データの中の特異点を発見する際などに用いられる指標である。
【０１０１】
表示データ生成部２０５は、快適度値生成部２０４の生成したユーザの快適度値と、環境データ値取得部２０３が取得した空調空間４０の環境データ値と、基本統計量算出部２０７が算出したユーザの快適度値を代表する快適度値基本統計量と空調空間４０の環境データ値を代表する環境データ値基本統計量の内のいずれか１つまたは複数と、を合成して表示統合データを生成して表示部２０６に出力する。より詳細には、表示データ生成部２０５は、基本統計量算出部２０７が算出したユーザの快適度値の時間平均値、空間平均値、時間中央値、空間中央値、時間最大値、空間最大値、時間最小値、空間最小値、時間最頻値、空間最頻値、空調空間４０の環境データ値の時間平均値、空間平均値、時間中央値、空間中央値、時間最大値、空間最大値、時間最小値、空間最小値、時間最頻値、空間最頻値、の内のいずれか１つまたは複数を、快適度値と環境データ値と合成して表示部２０６に出力する。
【０１０２】
次に図９を参照しながら快適度表示装置２００の動作について説明する。以下の説明では、基本統計量算出部２０７は、快適度値生成部２０４が生成した快適度値の時間平均値あるいは空間平均値と、環境データ値取得部２０３が取得した環境データ値の時間平均あるいは空間平均を算出する場合を例に説明する。また、図５を参照して説明した快適度表示装置１００の動作と同様のステップについては、各ステップに図５と同様の符号を付し、簡単に説明する。
【０１０３】
快適度値生成部２０４は、図９のステップＳ１０１〜Ｓ１０３に示すように、ユーザの嗜好、属性を読み出すと共に、環境データ値を取得する。図９のステップＳ２０１に示すように、基本統計量算出部２０７は、快適度値基本統計量のグループ（１）の快適度値の時間平均値あるいは空間平均値を算出する。また、基本統計量算出部２０７は、図９のステップＳ２０２において、環境データ値基本統計量のグループ（６）の空調空間４０の環境データ値の時間平均値あるいは空間平均値を算出する。
【０１０４】
図９のステップＳ２０３に示すように、表示データ生成部２０５は、快適度値生成部２０４の生成したユーザの快適度値と、環境データ値取得部２０３が取得した空調空間４０の環境データ値と、基本統計量算出部２０７が算出したユーザの快適度値の時間平均値または空間平均値と空調空間４０の環境データ値の時間平均値または空間平均値の内のいずれか１つまたは複数と、を合成して表示統合データを生成して表示部２０６に出力する。そして、表示部２０６は、図９のステップＳ１０６に示すように、表示データ生成部２０５の生成した表示統合データを表示する。表示部２０６の表示例については、第３実施形態の快適度表示装置２５０の説明の後で説明する。
【０１０５】
以上、基本統計量算出部２０７が平均値を算出する場合について説明したが、中央値を算出表示する場合には、図９のステップＳ２０１で、基本統計量算出部２０７が、快適度値基本統計量のグループ（２）の快適度値の時間中央値あるいは空間中央値を算出し、図９のステップＳ２０２において、環境データ値基本統計量のグループ（７）の空調空間４０の環境データ値の時間中間値あるいは空間中間値を算出する。同様に、最大値、最小値、最頻値を算出表示する場合には、基本統計量算出部２０７が、快適度値基本統計量のグループ（３）、（４）、（５）の快適度値の最大値、最小値、最頻値を算出し、図９のステップＳ２０２において、環境データ値基本統計量のグループ（８）、（９）、（１０）の環境データ値の最大値、最小値、最頻値を算出する。他の動作については、先に説明した平均値を算出する場合と同様である。
【０１０６】
また、表示部２０６には、快適度値と環境データ値の異なる基本統計量を組み合わせて表示してもよい。例えば、基本統計量算出部２０７が快適度値の時間平均値または空間平均値と、空調空間４０の環境データ値の時間中間値あるいは空間中間値とを算出し、これらを表示部２０６に表示するようにしてもよい。
【０１０７】
＜第３実施形態＞
図１０、１１に示すように、第３実施形態の快適度表示装置２５０の表示データ生成部２５５は、基本統計量算出部２５７が算出したユーザの快適度値を代表する快適度値基本統計量と空調空間４０の環境データ値を代表する環境データ値基本統計量の内のいずれか１つまたは複数と、を合成して統計量表示データを生成して表示部２５６に出力するものである。表示データ生成部２５５は、快適度値生成部２５４の生成したユーザの快適度値、環境データ値取得部２５３が取得した環境データ値との合成は行わない。従って、快適度表示装置２５０は、表示部２５６に快適度の快適度値基本統計量と環境データの環境データ値基本統計量とのみを表示するものである。
【０１０８】
ここで、快適度値基本統計量、環境データ値基本統計量は、先に説明したように、時間平均値、空間平均値、時間中央値、空間中央値、時間最大値、空間最大値、時間最小値、空間最小値、時間最頻値、空間最頻値を含むものである。以下の説明では、基本統計量算出部２５７は、快適度値生成部２５４が生成した快適度値の時間平均値あるいは空間平均値と、環境データ値取得部２５３が取得した環境データ値の時間平均あるいは空間平均を算出する場合を例に説明する。
【０１０９】
また、快適度表示装置２５０を構成する、嗜好格納部２５１、属性格納部２５２、環境データ値取得部２５３、快適度値生成部２５４、表示部２５６は、図８を参照して説明した快適度表示装置２００の嗜好格納部２０１、属性格納部２０２、環境データ値取得部２０３、快適度値生成部２０４、表示部２０６と同様であるので、説明は省略する。また、図１１のステップＳ２０１、Ｓ２０２の動作は先に図９にステップＳ２０１、Ｓ２０２の動作と同様なので、説明は省略する。
【０１１０】
図１１に示すように、快適度表示装置２５０は、図９のステップＳ２０３の表示統合データに代えて図１１のステップＳ２０４において統計量表示データを生成し、表示部２５６は、この統計量表示データを表示する。
【０１１１】
＜第２、第３実施形態の快適度表示装置２００、２５０の表示例＞
次に、第２、第３実施形態の快適度表示装置２００、２５０の表示例について説明する。
【０１１２】
図６は、第２実施形態の快適度表示装置２００の表示例の一つである。先に説明したように、図６は、図７にＸＹ平面で示される空調空間４０の特定の位置である、Ａ列、１番の座席位置Ａ−１における温度と、ユーザＡ、Ｂ、Ｃの快適度の時間変化を示したものである。図６中の右側には、所定期間の平均温度と、ユーザ別の所定期間の快適度値の平均値の数値が表示されている。このように、図６は、快適度値生成部２０４の生成したユーザＡ、Ｂ、Ｃの快適度値の時間変化（破線ａ、二点鎖線ｂ、一点鎖線ｃ）と、環境データ値取得部２０３が取得した空調空間４０の環境データ値の時間変化（実線Ｔ）と、基本統計量算出部２０７が算出したユーザＡ、Ｂ、Ｃの快適度値の時間平均値と、空調空間４０の環境データ値である温度の時間平均値と、を合成した表示統合データを表示部２０６に出力した例を示すものである。このように、図６は、第２実施形態の快適度表示装置２００の表示例の一つである。
【０１１３】
図７は、第２実施形態の快適度表示装置２００の表示例の一つである。図７は、ある時刻におけるＸＹ平面で示す空調空間４０の中の温度分布の上に、その時刻における各座席位置に座っているユーザの快適度を示すマークを重ね合せて表示したものである。また、図７の右側には、所定期間の平均温度と、所定期間における全ユーザの快適度値の平均値の数値が表示されている。このように、図７は、快適度値生成部２０４の生成した各ユーザの快適度値に対応したマークと、環境データ値取得部２０３が取得した空調空間４０の温度分布と、基本統計量算出部２０７が算出した全ユーザの快適度値の空間平均値と、空調空間４０の温度の空間平均値と、を合成した表示統合データを表示部２０６に出力した例を示すものである。このように、図７は、第２実施形態の快適度表示装置２００の表示例の一つである。
【０１１４】
図１２は、第３実施形態の快適度表示装置２５０の表示例の一つである。図１２は、図６と同様、図７にＸＹ平面で示される空調空間４０の特定の位置であるＡ列１番の座席位置Ａ−１における温度と、ユーザＡ、Ｂ、Ｃの快適度の一日毎の変化を示している。図１２において、○プロット付きの実線Ｔは温度の変化を示し、△プロット付きの破線ａは標準的なユーザＡの快適度値の変化を示し、□プロット付きの二点鎖線ｂは「寒がり」のユーザＢの快適度値の変化を示し、☆プロット付きの一点鎖線ｃは、「暑がり」のユーザＣの快適度値の変化を示す。先に説明したと同様、標準的なユーザＡは、「暑がり」でも「寒がり」でも「冷え性」でも「乾燥肌」でもなく、「年齢」、「身長」、「体重」、「体脂肪率」等がその会社の平均値のユーザである。寒がりのユーザＢは、「寒がり」で「冷え性」で、「体重」、「体脂肪率」がその会社の標準よりも小さい女性のユーザである。暑がりのユーザＣは、「暑がり」で、「体重」、「体脂肪率」がその会社の標準よりも大きい男性のユーザである。
【０１１５】
図１２において、横軸は、８／１〜８／１０までの日単位であり、各プロットはそれぞれその日の平均値を示す。例えば、○プロットは、その日一日の平均温度を示し、△、□、☆の各プロットは、その日一日の各ユーザＡ、Ｂ、Ｃの快適度値の平均値を示す。従って、図１２は、基本統計量算出部２５７が算出した各ユーザの快適度値の一日の平均値と、空調空間４０の環境データ値である温度の一日の平均値とを合成した統計量表示データを表示部２５６に出力した表示例である。また、図１２の右側には、座席位置Ａ−１における一か月平均温度と、各ユーザＡ、Ｂ、Ｃの８月一か月の平均の快適度値と、が表示されている。
【０１１６】
また、図１２に示す表示例では、日付バー下部にその日の天気を示す天気バーが設けられており、Ａ列１番の座席位置Ａ−１における温度と、ユーザＡ、Ｂ、Ｃの快適度の一日毎の変化と共に、環境データ値の一つである天気の一日毎の変化を表示したものである。天気は、その一日の天気を代表する天気を晴れ、曇り、雨等のマークで示している。
【０１１７】
このように、図１２は、表示部２５６に快適度の平均値と環境データの平均値とのみを表示する快適度表示装置２５０の表示例を示すものである。なお、快適度表示装置２００の表示データ生成部２０５において、快適度の平均値と環境データの平均値とのみを合成して統計量表示データを生成して表示部２０６に表示させるようにしてもよい。
【０１１８】
また、図１２のように快適度の平均値と環境データの平均値とのみが表示された場合において、例えば、管理者が特定の日、あるいは特定の日時の空調空間４０の中の温度分布と各ユーザの快適度値とを把握したい場合がある。そこで、図１２に示す日付バーの日付部のクリックによって図１３に示すようにその日の空調空間４０の温度の分布と各ユーザの快適度値に対応するマークとを表示するようにしてもよい。図７と同様、図１３において、笑顔のマークはユーザが快適と感じている場合を示し、快適度値が−０．５から＋０．５の範囲に対応する。不快顔のマークはユーザが不快と感じている場合を示し、快適度値が＋１．５を超える場合、あるいは−１．５より小さい場合に対応する。通常の顔のマークは、ユーザが快適と不快の中間で、快適ではないが不快ではないと感じている場合で、快適度値が０．５〜１．５、−０．５〜−１．５の間に対応する。図１３は、例えば、図１２に示す８／１のように晴れている日の空調空間４０の中での温度分布と各ユーザの快適度に対応したマークとを表示したものであり、窓４５の外に晴れのマークと日射が窓４５から入射している状態を重ねて表示している。図１４は、例えば、図１２に示す８／２のように雨の日の空調空間４０の中での温度分布と各ユーザの快適度に対応したマークとを表示した例を示す。ユーザの快適度値に対応するマークと快適度値との対応関係は図１３と同様である。また、図１４では窓４５の外に雨のマークを表示している。管理者は、図１３に示す晴れの日の温度分布、ユーザの快適度の分布と、図１４に示す雨の日の温度分布、ユーザの快適度の分布の差から、晴れの日と雨の日とで空調設備の調整を異ならせるように調整することができる。
【０１１９】
なお、図１３、図１４において、ある一日の平均温度の分布と一日の平均快適度の分布とを表示するようにしてもよい。
【０１２０】
図１５は、第２実施形態の快適度表示装置２００の表示例の一つである。図１５は４つの椅子５２と１のテーブル５１で構成されるテーブルセット５５が４つ配置され、各テーブル５１の上に空調機の吹き出し口５３が配置された空調空間５０の中の温度分布と、ユーザの快適度、平均快適度を重ねて表示したものである。テーブルセット５５は、Ａ、Ｂの２列、１番、２番の２段に配置されている。図１５において、各椅子５２の中央の数字は、各椅子５２の位置にいる各ユーザの快適度値を示し、テーブル５１の中央の数字は、１つのテーブル５１についている４人のユーザの快適度値の平均値をそのテーブルセット５５の代表快適度値として表示したものである。図１５の表示は、例えば、管理者がテーブルセット５５の代表快適値が中立のゼロとなるように空調装置を調整する場合等に有効である。
【０１２１】
このように、快適度表示装置２００、２５０は、快適度値の快適度値基本統計量である時間平均値と環境データ値の環境データ値基本統計量である時間平均値とを重ね合わせて表示することにより、快適度と環境データとの関連性の傾向を把握でき、空調設備の交換、追設等の必要性を容易に判断できる。また、快適度値の空間平均値と環境データ値の空間平均値とを重ね合わせて表示することにより、快適度と環境データとの空間的な関連性の傾向を把握でき、空調空間４０、５０の特定エリアの空調設備の交換やパーティション等のビル設備の追設等の必要性を容易に判断できる。
【０１２２】
また、快適度表示装置２００、２５０は、平均値に代えて、中央値、最大値、最小値、最頻値を算出し、表示することができる。これにより、快適設備、施設管理者の空調設備管理やユーザの設備利用を容易にすることができる。
【０１２３】
＜第４実施形態＞
次に、図１６、１７を参照しながら、第４実施形態の快適度表示装置３００について説明する。図１６に示すように、第４実施形態の快適度表示装置３００は、図１を参照して説明した快適度表示装置１００に補完部３０７を追加したものである。快適度表示装置３００を構成する、嗜好格納部３０１、属性格納部３０２、環境データ値取得部３０３、快適度値生成部３０４、表示部３０６は、図１を参照して説明した快適度表示装置１００の嗜好格納部１０１、属性格納部１０２、環境データ値取得部１０３、快適度値生成部１０４、表示部１０６と同様であるので、説明は省略する。
【０１２４】
図１６に示す補完部３０７は、図１７のステップＳ３０２、Ｓ３０３に示すように、快適度値生成部３０４で生成した離散値であるユーザの快適度値を補完して時間または空間に対する連続値とし、環境データ値取得部３０３が取得した離散値である空調空間４０の環境データ値を補完して時間または空間に対する連続値とするものである。また、表示データ生成部３０５は、図１７のステップＳ３０３に示すように、ユーザの快適度値の時間または空間に対する連続値のいずれか一方と、空調空間４０の環境データ値の時間または空間に対する連続値のいずれか一方とを合成して連続表示データを生成するものである。
【０１２５】
図６に示す実線Ｔ、破線ａ、二点鎖線ｂ、一点鎖線ｃは、快適度表示装置３００によって時間に対する離散値である温度、各ユーザの快適度値を補完してそれぞれ連続した滑らかな曲線として表示したものである。
【０１２６】
本実施形態の快適度表示装置３００は、補完により離散データを連続線とすることにより、表示が見やすくなり、より容易に快適度と環境データとの関連性を把握できる。
【０１２７】
＜第５実施形態＞
次に、図１８から図２０を参照して第５実施形態の快適度表示装置４００について説明する。
【０１２８】
図１８に示すように、第５実施形態の快適度表示装置４００は、図１に示す快適度表示装置１００に異常検出部４０７を追加したものである。快適度表示装置４００を構成する、嗜好格納部４０１、属性格納部４０２、環境データ値取得部４０３、快適度値生成部４０４、表示部４０６は、図１を参照して説明した快適度表示装置１００の嗜好格納部１０１、属性格納部１０２、環境データ値取得部１０３、快適度値生成部１０４、表示部１０６と同様であるので、説明は省略する。また、快適度表示装置４００の動作を示す図１９、２０の内、図１を参照して説明した快適度表示装置１００の動作と同様のステップについては、図５と同様の符号を付し、そのステップの説明は省略する。
【０１２９】
図１８に示す異常検出部４０７は、ユーザの快適度値が快適限界範囲にない場合に異常を検出し、異常データを出力するものである。ここで、快適限界範囲は、暖かい、涼しいと感じる限界範囲とし−２．０＜快適度値＜２．０とし、−２.０を下回った場合、あるいは、２．０を超えた場合に、快適限界範囲にないと判断してもよい。この場合、快適限界範囲を超える場合とは、約７０％以上の人間が不快と感じる場合に相当する。また、快適限界範囲を約５０％以上の人間が不快と感じる場合とする場合、例えば、快適限界範囲を、−１．５＜快適度値＜１．５に設定してもよい。
【０１３０】
図１９のステップＳ４０１に示すように異常検出部４０７は、快適度値生成部４０４が生成した快適度値が先に説明した快適限界範囲にない場合には、快適度値生成部４０４の生成した快適度値が異常値と判断し、図１９のステップＳ４０２に進んで異常を検出し、図１９のステップＳ４０３に示すように異常データを出力する。そして、図１９のステップＳ４０４に示すように、表示データ生成部４０５は、異常検出部４０７が出力した異常データと、快適度値生成部４０４が生成したユーザの快適度値と、空調空間４０の環境データ値とを合成して異常表示データを生成する。そして、図１９のステップＳ１０６に示すように、表示部４０６が異常表示データを表示する。
【０１３１】
図１２に快適度表示装置４００の表示例を示す。先に説明したように、図１２は、第３実施形態の快適度表示装置２５０の表示例の一つであるが、図１２の中の△の中に感嘆符！を表示したマーク（注意マーク）の部分が快適度表示装置４００の表示例となっている。この場合、表示部４０６に表示される注意マークは異常検出部４０７の出力する異常データに相当する。
【０１３２】
また、図２０のステップＳ４０５に示すように、表示データ生成部４０５が、異常検出部４０７が出力した異常データに基づいて、快適度値生成部４０４が生成したユーザの快適度値の内で快適限界値範囲を超えているものをそれ以外の快適度値と識別できるように、図１２に示すように、その快適度値を示すプロットを点滅表示するようにしてもよい。
このように、快適度表示装置４００の表示データ生成部４０５は、異常検出部４０７が異常を検出したユーザの快適度値をそれ以外のユーザの快適度値と識別できるように、ユーザの快適度値と空調空間４０の環境データ値とを合成して異常識別表示データを生成するようにしてもよい。
【０１３３】
このように、快適度表示装置４００は、表示部４０６に快適度値が異常を示す注意マークを表示したり、プロットを点滅表示させたりすることにより、管理者が不快者の存在に早期に気づき、早期に空調設備の調整を行うことができる。
【０１３４】
＜第６実施形態＞
図２１に示すように、第６実施形態の快適度表示装置５００は、図１に示す快適度表示装置１００の快適度値生成部１０４に代えてタイプ別推奨領域生成部５０７を有するものである。快適度表示装置５００を構成する環境データ値取得部５０３、表示部５０６は、図１を参照して説明した快適度表示装置１００の環境データ値取得部１０３、表示部１０６と同様である。
【０１３５】
図２１に示す嗜好格納部５０１、属性格納部５０２は、それぞれ図１に示す嗜好格納部１０１、属性格納部１０２と同様、図３に示すユーザ嗜好データベース９０１、図４に示すユーザ属性データベース９０２を格納している。更に、嗜好格納部５０１は、ユーザ嗜好データベース９０１の中に、タイプ別基準ユーザの空調環境に対する嗜好を格納している。また、属性格納部５０２はユーザ属性データベース９０２の中にタイプ別基準ユーザの属性を格納している。
【０１３６】
ここで、タイプ別基準ユーザとは、「暑がり」、「寒がり」等で表されるユーザのタイプの中の標準的な人物で、想定上の人物である。例えば、「暑がり」タイプのタイプ別基準ユーザとは、年齢、身長、体重、体脂肪率等の属性がその会社の平均値あるいは中央値であり、嗜好に「暑がり」と登録されているようなユーザである。また、「寒がり」タイプのタイプ別基準ユーザとは、年齢、身長、体重、体脂肪率等の属性がその会社の平均値あるいは中央値であり、嗜好に「寒がり」と登録されているようなユーザである。
【０１３７】
タイプ別推奨領域生成部５０７は、空調空間４０の領域毎にタイプ別基準ユーザの快適度値を生成し、タイプ別基準ユーザの快適度値が所定範囲にある場合にその領域をタイプ別推奨領域とするものである。ここで、所定範囲とは、約９０％以上の人が快適と感じるような快適度値の範囲として、−０．５＜快適度値＜０．５の範囲としてもよい。
【０１３８】
表示データ生成部５０５は、タイプ別推奨領域と、空調空間４０の環境データ値とを合成してタイプ別推奨領域表示データを生成し、表示部５０６に出力するものである。
【０１３９】
次に、図２２を参照しながら快適度表示装置５００の動作について説明する。まず、タイプ別推奨領域生成部５０７は、図２２のステップＳ５０１に示すように、空調空間４０の中の快適度値の計算を行う領域を設定する。領域は、例えば、図７に示すＸＹで表される空調空間４０を格子状の領域に分割してもよいし、例えば、椅子４２の位置を中心とし領域を座席位置毎に設定してもよい。例えば、座席位置Ａ−１の周囲を領域１、座席位置Ａ−２の周囲を領域２のように設定してもよい。
【０１４０】
次に、タイプ別推奨領域生成部５０７は、図２２のステップＳ５０２に示すように、嗜好格納部５０１からタイプ別基準ユーザの嗜好を読み出す。例えば、「暑がり」タイプの標準ユーザの場合には、ユーザ嗜好データベース９０１から「暑がり」と規定されていることを読み出す。次に、タイプ別推奨領域生成部５０７は、図２２のステップＳ５０３に示すように、属性格納部５０２からタイプ別基準ユーザの属性を読み出す。例えば、「暑がり」タイプの標準ユーザの場合には、ユーザ属性データベース９０２からその会社の平均的な体重、体脂肪率等のデータを読み出す。
【０１４１】
次に、タイプ別推奨領域生成部５０７は、図２２のステップＳ１０３に示すように、環境データ値取得部５０３から空調空間４０の中の設定領域の温度、湿度、風速、輻射温度等の環境データ値を取得する。
【０１４２】
次に、タイプ別推奨領域生成部５０７は、図２２のステップＳ５０４に進んで、設定領域におけるタイプ別基準ユーザの快適度値を生成する。具体的には、タイプ別推奨領域生成部５０７は、図２２のステップＳ１０３で環境データ値取得部５０３から取得した設定領域の温度、湿度、風速、輻射温度の４つの物理量と、予め設定した標準的な人間の着衣量、運動量とを用いて、式（２）により設定領域における標準的な人間のＰＭＶを算出する。
【０１４３】
更に、タイプ別推奨領域生成部５０７は、嗜好格納部５０１、属性格納部５０２から読み出したタイプ別基準ユーザの嗜好、属性を用いて式（１）、（３）、（４）によりタイプ別基準ユーザの快適度値を生成する。
【０１４４】
そして、タイプ別推奨領域生成部５０７は、図２２に示すステップＳ５０５に進み、生成したタイプ別基準ユーザの快適度値が、所定範囲にあるかどうかを判断する。そして、タイプ別基準ユーザの快適度値が所定範囲にある場合には、図２２のステップＳ５０５でＹＥＳと判断して図２２のステップＳ５０６に進み、設定した計算領域をタイプ別推奨領域に組み入れて図２２のステップＳ５０７に進む。
【０１４５】
一方、図２２のステップＳ５０５で、ＮＯと判断した場合、タイプ別推奨領域生成部５０７は、設定した計算領域をタイプ別推奨領域に組み込まずに図２２のステップＳ５０７に進む。
【０１４６】
タイプ別推奨領域生成部５０７は、図２２のステップＳ５０７において、空調空間４０の全領域の計算が終了したかどうか判断し、全ての領域の計算が終了していない場合には、図２２のステップＳ５０１に戻ってステップＳ５０１からステップＳ５０６を繰り返し実行する。
【０１４７】
そして、タイプ別推奨領域生成部５０７は、空調空間４０の全ての領域でタイプ別基準ユーザの快適度値の生成とタイプ別推奨領域への組みこみ可否の判断を終了したら、図２２のステップＳ５０８に進む。
【０１４８】
表示データ生成部５０５は、図２２のステップＳ５０８において、タイプ別推奨領域と、空調空間４０の環境データ値とを合成してタイプ別推奨領域表示データを生成して表示部５０６に出力する。表示部５０６は、このタイプ別推奨領域表示データを表示する。
【０１４９】
図２３は、快適度表示装置５００の表示部５０６の表示例である。図２３は、タイプ別の標準ユーザが快適と感じる範囲と、空調空間４０の温度分布とを重ね合わせて表示したものである。図２３に示す斜めハッチングの領域は、温度が２５．５℃から２６．５℃の領域対応しており、「暑がり」タイプの標準ユーザが快適と感じる領域を示している。また、図２３に示すクロスハッチング領域は、温度が２６．５℃から２７．５℃の領域に対応しており、「寒がり」タイプの標準ユーザが快適と感じる領域を示している。
【０１５０】
このように、快適度表示装置５００は、暑がりタイプ、寒がりタイプ等のタイプ別に推奨領域を表示するので、ユーザが表示を見て自分の好みの場所に移動することを促すことができる。例えば、フリーアドレスオフィスの様に、どの場所に着席してもよい場合、各人が好みに応じて着席すれば全体の快適度、生産性を向上させることができる。
【０１５１】
＜第７実施形態＞
次に、図２４を参照しながら、第７実施形態の快適度表示装置５５０について説明する。図２３を参照して説明した快適度表示装置５００と同様の部分には、同様の符号を付して説明は省略する。
【０１５２】
図２４に示すように、快適度表示装置５５０は、図２３を参照して説明した快適度表示装置５００にタイプ別推奨領域をプロジェクションマッピングまたは拡張現実で表示することができる移動先表示部５０８を備えている。これにより、快適度表示装置５５０は、より効果的にユーザに移動を推奨することができる。
【０１５３】
＜第８実施形態＞
次に図２５を参照しながら、第８実施形態の快適度表示装置６００について説明する。図２５に示す快適度表示装置６００は、図１に示す快適度表示装置１００の快適度値生成部１０４に代えてユーザ別推奨領域生成部６０７を有するものである。快適度表示装置６００を構成する嗜好格納部６０１、属性格納部６０２、環境データ値取得部６０３、表示部６０６は、図１を参照して説明した快適度表示装置１００の嗜好格納部１０１、属性格納部１０２、環境データ値取得部１０３、表示部１０６と同様である。
【０１５４】
図２６を参照しながら、快適度表示装置６００の動作について説明する。ユーザ別推奨領域生成部６０７は、図２６のステップＳ６０１に示すように、先に説明した快適度表示装置５００と同様、空調空間４０の中の快適度値の計算を行う領域を設定する。
【０１５５】
次に、ユーザ別推奨領域生成部６０７は、図２６のステップＳ１０１、Ｓ１０２に示すように、嗜好格納部６０１、属性格納部６０２から特定のユーザの嗜好、属性を読み出す。
【０１５６】
次に、ユーザ別推奨領域生成部６０７は、図２６のステップＳ１０３に示すように、環境データ値取得部６０３から空調空間４０の中の設定領域の温度、湿度、風速、輻射温度等の環境データ値を取得する。
【０１５７】
次に、ユーザ別推奨領域生成部６０７は、図２６のステップＳ１０４に進んで、設定領域における特定のユーザの快適度値を生成する。具体的には、ユーザ別推奨領域生成部６０７は、図２６のステップＳ１０３で環境データ値取得部５０３から取得した設定領域の温度、湿度、風速、輻射温度の４つの物理量と、オフィスワークの際の標準的な着衣量、運動量を用いて式（２）により設定領域における特定のユーザのＰＭＶを算出する。なお、着衣量は、サーモカメラによって特定のユーザの皮膚の温度と服の温度とを測定しその温度差から推定した値を用い、運動量は監視カメラ等の画像を分析して求めた値を用いるようにしてもよい。
【０１５８】
更に、ユーザ別推奨領域生成部６０７は、嗜好格納部５０１、属性格納部５０２から読み出した特定のユーザの嗜好、属性を用いて式（１）、（３）、（４）により特定のユーザの快適度値を生成する。
【０１５９】
そして、ユーザ別推奨領域生成部６０７は、図２６に示すステップＳ６０２に進み、生成した特定のユーザの快適度値が、所定範囲にあるかどうかを判断する。そして、特定のユーザの快適度値が所定範囲にある場合には、図２６のステップＳ６０２でＹＥＳと判断して図２６のステップＳ６０３に進み、設定した計算領域をユーザ別推奨領域に組み入れて図２６のステップＳ６０４に進む。
【０１６０】
一方、図２６のステップＳ６０２で、ＮＯと判断した場合、ユーザ別推奨領域生成部６０７は、設定した計算領域をユーザ別推奨領域に組み込まずに図２６のステップＳ６０４に進む。
【０１６１】
ユーザ別推奨領域生成部６０７は、図２６のステップＳ６０４において、空調空間４０の全領域の計算が終了したかどうか判断し、全ての領域の計算が終了していない場合には、図２６のステップＳ６０１に戻ってステップＳ６０１からステップＳ６０３を繰り返し実行する。
【０１６２】
そして、ユーザ別推奨領域生成部６０７は、空調空間４０の全ての領域で特定ユーザの快適度値の生成とユーザ別推奨領域への組みこみ可否の判断を終了したら、図２６のステップＳ６０５に進む。
【０１６３】
表示データ生成部６０５は、図２６のステップＳ６０５において、ユーザ別推奨領域と、空調空間４０の環境データ値とを合成してユーザ別推奨領域表示データを生成して表示部６０６に出力する。表示部６０６は、このユーザ別推奨領域表示データを表示する。
【０１６４】
先に説明した図２３は、快適度表示装置６００の表示部６０６の表示例でもある。快適度表示装置６００では、図２３に示す斜めハッチングの領域は、「暑がり」の特定のユーザＣが快適と感じる領域を示す。また、図２３に示すクロスハッチング領域は、「寒がり」の特定のユーザＢが快適と感じる領域を示す。
【０１６５】
このように、快適度表示装置６００は、特定のユーザの嗜好や属性を考慮して特定のユーザが空調空間４０の中のどの場所に行けばよいかを自動的にリコメンドするので、ユーザはディスプレイ２７の表示等を確認することなく、容易に快適な位置に移動することができる。
【０１６６】
＜第９実施形態＞
次に、図２７を参照しながら、第９実施形態の快適度表示装置６５０について説明する。図２５を参照して説明した快適度表示装置６００と同様の部分には、同様の符号を付して説明は省略する。
【０１６７】
図２７に示すように、快適度表示装置６５０は、図２５を参照して説明した快適度表示装置６００にユーザ別推奨領域をプロジェクションマッピングまたは拡張現実で表示することができる移動先表示部６０８を備えている。これにより、快適度表示装置６５０は、より効果的にユーザに移動を推奨することができる。
【０１６８】
＜第１０実施形態＞
次に図２８〜図３０を参照しながら、第１０実施形態の快適度表示装置７００について説明する。図２８に示すように、快適度表示装置７００は、図１を参照して説明した快適度表示装置１００にユーザ状態取得部７０７と推奨行動生成部７０８とを追加したものである。快適度表示装置７００を構成する嗜好格納部７０１、属性格納部７０２、環境データ値取得部７０３、表示部７０６は、図１を参照して説明した快適度表示装置１００の嗜好格納部１０１、属性格納部１０２、環境データ値取得部１０３、表示部１０６と同様である。
【０１６９】
ユーザ状態取得部７０７は、特定のユーザの現在の着衣量、運動量等の現在状態量と、特定のユーザの現在位置とを取得する。着衣量は、例えば、サーモカメラによって皮膚の温度と服の温度とを測定し、その温度差から求めるようにしてもよい。また、運動量、現在位置は、監視カメラの画像を分析して求めるようにしてもよい。
【０１７０】
快適度値生成部７０４は、嗜好格納部７０１に格納したユーザの嗜好と、属性格納部７０２に格納したユーザの属性と、環境データ値取得部７０３が取得した空調空間４０の環境データ値と、ユーザ状態取得部７０７が取得したユーザの現在状態量とユーザの現在位置とに基づいてユーザの現在の快適性を示す現在快適度値を生成し、表示データ生成部７０５と推奨行動生成部７０８に出力する。
【０１７１】
推奨行動生成部７０８は、快適度値生成部７０４から入力された現在快適度値が所定範囲にない場合に、ユーザの快適度値が所定範囲に入るまでユーザの状態量を現在状態量から変更して、ユーザの嗜好と、ユーザの属性と、空調空間４０の環境データ値と、ユーザの現在位置とに基づいてユーザの快適度値を繰り返し生成することにより、ユーザの快適度値が所定範囲に入るユーザの変更状態量を確定する。そして、ユーザの現在状態量と変更状態量の差に基づいてユーザの推奨行動を生成する。
【０１７２】
表示データ生成部７０５は、快適度値生成部７０４で生成したユーザの現在快適度値と、環境データ値取得部７０３が取得した空調空間４０の環境データ値と、推奨行動生成部７０８が生成した推奨行動とを合成して推奨行動表示データを生成し、表示部７０６に出力する。
【０１７３】
以下、図２９を参照しながら、快適度表示装置７００の動作について説明する。図２９のステップＳ１０１からＳ１０３に示すように、快適度値生成部７０４は、嗜好格納部７０１、属性格納部７０２からユーザの嗜好、属性を読み出し、環境データ値取得部７０３から空調空間４０の温度、湿度、風速等の環境データ値を取得する。また、快適度値生成部７０４は、図２９のステップＳ７０１、Ｓ７０２に示すように、ユーザ状態取得部７０７から現在のユーザの着衣量、運動量等の現在状態量と、ユーザの現在位置とを取得する。
【０１７４】
図２９のステップＳ７０３に示すように快適度値生成部７０４は、ユーザの現在快適度を生成する。具体的には、快適度値生成部７０４は、図２９のステップＳ１０３で環境データ値取得部７０３から取得した空調空間４０の温度、湿度、風速、輻射温度の４つの物理量と、図２９のステップＳ７０１で取得したユーザの現在の着衣量、運動量とを用いて式（２）によりユーザの現在のＰＭＶを算出する。
【０１７５】
更に、快適度値生成部７０４は、図２９のステップＳ１０１、Ｓ１０２で嗜好格納部７０１、属性格納部７０２から読み出したユーザの嗜好、属性を用いて式（１）、（３）、（４）によりユーザの現在快適度値を生成する。そして、生成したユーザの現在快適度値を推奨行動生成部７０８と表示データ生成部７０５に出力する。
【０１７６】
推奨行動生成部７０８は、図２９のステップＳ７０４に示すように、快適度値生成部７０４から入力されたユーザの現在快適度値が所定の範囲に有るかどうかを判断する。ここで所定範囲とは、約９０％以上の人が快適と感じるような快適度値の範囲として、−０．５＜快適度値＜０．５の範囲としてもよい。
【０１７７】
推奨行動生成部７０８は、図２９のステップＳ７０４でＮＯと判断した場合には、図２９のステップＳ７０５に進んでユーザの状態量を現在状態量から変更する。例えば、ユーザの着衣量が標準的な着衣量よりも多い場合には、着衣量を低減する。逆に、着衣量が標準的な着衣量よりも少ない場合には、着衣量を増加する。そして、推奨行動生成部７０８は、図２９のステップＳ７０６において、嗜好格納部７０１、属性格納部７０２からユーザの嗜好、属性を読み出し、環境データ値取得部７０３から空調空間４０の温度、湿度、風速等の環境データ値を取得し、変更したユーザの状態量である変更状態量を用いてユーザの快適度値を生成し、図２９のステップＳ７０７に進む。
【０１７８】
推奨行動生成部７０８は、図２９のステップＳ７０７において、ステップＳ７０６で生成したユーザの快適度値が所定範囲内かどうかを判断する。推奨行動生成部７０８は、図２９のステップＳ７０７でＮＯと判断した場合には、図２９のステップＳ７０５に戻ってユーザの状態量を変更してステップＳ７０６でユーザの快適度値を生成する。このように、推奨行動生成部７０８は、ユーザの快適度値が所定範囲内となるまで繰り返しユーザの状態量を変更してユーザの快適度値を生成する。そして、推奨行動生成部７０８は、図２９のステップＳ７０７でＹＥＳと判断したら、図２９のステップＳ７０８に進み、ユーザの変更状態量を確定させる。そして、推奨行動生成部７０８は、図２９のステップＳ７０９において、ステップＳ７０１で取得したユーザの現在状態量と確定させたユーザの変更状態量との差に基づいて推奨行動を生成する。
【０１７９】
推奨行動の生成の例を示すと以下の通りである。例えば、ユーザの現在快適度値が＋２．０でユーザが暖かいと感じており、着衣量を現在状態量から低減した場合に快適度値が所定範囲に入った場合には、ユーザが上着を脱ぐなどの行動により着衣量を低減することにより、快適な状態になると想定される。この場合、推奨行動生成部７０８は、「上着を脱ぐと涼しくなります」という推奨行動を生成する。
【０１８０】
また、ユーザの現在快適度値が-２．０でユーザが涼しいと感じており、運動量を現在状態量から増加した場合に快適度値が所定範囲に入った場合には、ユーザはしばらく座ったままでいることから涼しいと感じているので、運動量を増加させることにより、快適な状態になると想定される。この場合、推奨行動生成部７０８は、「立ち上がって運動してみてください。暖かくなります。」という推奨行動を生成する。
【０１８１】
表示データ生成部７０５は、図２９のステップＳ７０９に示すように、環境データ値取得部７０３から取得した温度、湿度等の環境データ値と、快適度値生成部７０４から入力されたユーザの現在快適度値と、推奨行動生成部７０８から入力された推奨行動を合成して推奨行動表示データを生成して表示部７０６に出力する。表示部７０６は、図２９のステップＳ１０６に示すように、推奨行動表示データを表示する。
【０１８２】
図３０を参照しながら表示部７０６が表示する推奨行動表示データの例について説明する。図３０に示すように、推奨行動表示データは、図７と同様に空調空間４０の温度分布中にユーザの現在快適度値に対応するマークを重ね合わせて表示し、さらに、ユーザへの推奨行動の文言が重ね合わせて表示されているものである。図３０に示すように、ユーザは座席位置Ｂ−１に座っており、座席位置近傍の温度は、２８．５℃程度であり、ユーザの現在快適度値は、＋２．０でユーザは暖かいと感じている（マークは口をへの字にした不快を示すものとなっている。）。また、ユーザは、上着を着ている。そして、右上に推奨文言として「上着を脱ぐと涼しくなります」という推奨文言を表示してユーザが上着を脱ぐことを推奨している。
【０１８３】
このように、快適度表示装置７００は、ユーザの現在位置、現在状態量に基づいて、ユーザの快適性が向上する行動を推奨するので、ユーザの快適度、生産性を向上させることができる。
【０１８４】
＜第１１実施形態＞
図３１を参照しながら第１１実施形態の快適度表示装置５８０について説明する。図３１に示すように、快適度表示装置５８０は、図２１を参照して説明した快適度表示装置５００に図１を参照した説明した快適度表示装置１００と快適度値生成部１０４と同様の快適度値生成部５０４を追加したものである。タイプ別推奨領域生成部５０７の動作は図２３を参照して説明した快適度表示装置５００の場合と同様である。
【０１８５】
快適度表示装置５８０の表示データ生成部５０５は、快適度値生成部５０４で生成したユーザの快適度値と、タイプ別推奨領域生成部５０７で生成したタイプ別推奨領域と、環境データ値取得部５０３で取得した空調空間４０の環境データ値とを合成してタイプ別推奨領域表示データを生成して表示部５０６に出力する。
【０１８６】
図３２に快適度表示装置５８０の表示部５０６の表示例を示す。図３２は、タイプ別の標準ユーザが快適と感じる範囲と、空調空間４０の温度分布と、各ユーザの快適度値に対応するマークとを重ね合わせて表示したものである。図３２に示す斜めハッチングの領域は、温度が２５．５℃から２６．５℃の領域対応しており、「暑がり」タイプの標準ユーザが快適と感じる領域を示している。また、図３２に示すクロスハッチング領域は、温度が２６．５℃から２７．５℃の領域に対応しており、「寒がり」タイプの標準ユーザが快適と感じる領域を示している。
【０１８７】
快適度表示装置５８０は、快適度表示装置５００と同様の作用効果を奏する。
【０１８８】
＜第１２実施形態＞
図３３を参照しながら第１２実施形態の快適度表示装置６８０について説明する。図３３に示すように、快適度表示装置６８０は、図２５を参照して説明した快適度表示装置６００に図１を参照した説明した快適度表示装置１００と快適度値生成部１０４と同様の快適度値生成部６０４を追加したものである。ユーザ別推奨領域生成部６０７の動作は図２５を参照して説明した快適度表示装置６００の場合と同様である。
【０１８９】
快適度表示装置６８０の表示データ生成部６０５は、快適度値生成部６０４で生成したユーザの快適度値と、ユーザ別推奨領域生成部６０７で生成したユーザ別推奨領域と、環境データ値取得部６０３で取得した空調空間４０の環境データ値とを合成してユーザ別推奨領域表示データを生成して表示部６０６に出力する。
【０１９０】
快適度表示装置６８０の表示部６０６には、快適度表示装置５８０の表示部５０６と同様、図３２に示すように表示される。ただし、快適度表示装置６８０においては、図３２に示すハッチング領域は、「暑がり」の特定のユーザＣが快適と感じる領域を示す。また、図３２に示すクロスハッチング領域は、「寒がり」の特定のユーザＢが快適と感じる領域を示す。
【０１９１】
快適度表示装置６８０は、快適度表示装置６００と同様の作用効果を奏する。
【０１９２】
＜第１３実施形態＞
図３４を参照しながら第１３実施形態の快適度表示装置８００について説明する。図３４に示すように、快適度表示装置８００は、図１を参照して説明した快適度表示装置１００に、エリア情報格納部８０８を追加し、快適度値生成部１０４、環境データ値取得部１０３、表示データ生成部１０５に代えて、エリア快適度値生成部８０４、エリア環境データ値取得部８０３、エリア表示データ生成部８０５、表示部８０６を有するものである。
【０１９３】
快適度表示装置８００は、例えば、図３６に示すように、空調空間４０の複数のエリア４５１〜４５４についてエリア快適度値と、エリア環境データ値を表示するものである。図３６に示すように、空調空間４０は、例えば、ビルの一つのフロアであり、各エリア４５１〜４５４は、フロア内の一部である。各エリア４５１〜４５４の床には事務机４１１から４１４と、椅子４２1〜４２４とが配置され、天井には空調機の吹き出し口４３１から４３４が配置されている。
【０１９４】
エリア情報格納部８０８はエリア４５１〜４５４の構成情報を格納している。エリア４５１〜４５４の構成情報は、各エリアの位置、大きさなどのエリア４５１〜４５４の配置、形状の情報、各エリア４５１〜４５４に配置されている空調機、室内機、温度センサ、湿度センサ、風速計等の配置、或いは、各エリア４５１〜４５４の机の配置とそこに座っているユーザを特定する情報、例えば、氏名、従業員番号等の情報を含むものである。
【０１９５】
エリア環境データ値取得部８０３は、図３５のステップＳ８０１でエリア情報格納部８０８に格納されたエリア４５１〜４５４の構成情報を参照してエリア４５１〜４５４の状況を表すエリア環境データ値をエリア毎に取得する。
【０１９６】
エリア快適度値生成部８０４は、図３５のステップＳ８０２において、図３５のステップＳ１０１で嗜好格納部１０１から読み出したユーザの嗜好と、図３５のステップＳ１０２で属性格納部１０２から読み出したユーザの属性と、エリア環境データ値取得部８０３が取得したエリア環境データ値とに基づいてユーザのエリア４５１〜４５４における快適性を示すエリア快適度値を生成する。エリア快適度の生成については、先に説明した快適度表示装置１００と同様である。
【０１９７】
エリア表示データ生成部８０５は、図３５のステップＳ８０３において、エリア快適度値生成部８０４で生成したユーザのエリア快適度値と、エリア環境データ値取得部８０３が取得したエリア環境データ値と、を合成してエリア表示データを生成する。表示部８０６は、図３５のステップＳ８０４において、１つまたは複数のエリア表示データを表示する。
【０１９８】
図３６は、表示部８０６の表示の一例を示す。図３６は、ある時刻におけるＸＹ平面で示す空調空間４０の中の各エリア４５１〜４５４の温度分布の上に、その時刻における各エリア４５１〜４５４の各座席位置に座っているユーザの快適度を示すマークを重ね合わせて表示部８０６に表示させたものである。各椅子４２１から４２４の中央にはユーザの快適度を示す顔のマークが表示されている。このような表示により、ある時刻において、空調空間４０の各エリア４５１〜４５４毎に温度がどのように分布しており、各エリア４５１〜４５４の各ユーザがどのように感じているかを容易に認識できる。
【０１９９】
空調設備の管理者は、図３６に示す表示に基づいて、空調空間４０の中のエリア４５１〜４５４毎にどのように設定温度を調整すれば良いかを容易に判断することができる。
【０２００】
図３７は、表示部８０６の他の表示の例を示す。図３７は、図３６に示す空調空間４０の中の各エリア４５１〜４５４の各特定の位置における温度の変化とユーザの快適度の時間変化を示す図である。図３６に示すように、各エリア４５１〜４５４には、それぞれ事務机４１１〜４１４、椅子４２１〜４２４がＡ列、Ｂ列の二列で１番から３番まで３段に配置されている。図３７には、図３６に示す空調空間４０のエリア４５１〜４５４毎に、Ａ列１番の座席位置における温度の時間変化を示す実線Ｔ１〜Ｔ４と、標準的なユーザＡ１〜Ａ４の快適度を示す破線ａ１〜ａ４と、寒がりのユーザＢ１〜Ｂ４の快適度を示す二点鎖線ｂ１〜ｂ４と、暑がりのユーザＣ１〜Ｃ４の快適度を示す一点鎖線ｃ１〜ｃ４とが表示されている。
【０２０１】
図３７の表示から、空調設備の管理者は、ユーザＡ１〜Ａ４、Ｂ１〜Ｂ４、Ｃ１〜Ｃ４の快適度値の変化と温度の相関関係をエリア４５１〜４５４毎に把握することができ、各エリア４５１〜４５４の空調装置の設定温度調整することができる。
【０２０２】
このように、本実施形態の快適度表示装置８００は、エリア４５１〜４５４毎のユーザのエリア快適度値と、エリア環境データ値とを合成して表示するので、空調設備の管理者は、エリア４５１〜４５４毎に快適度と環境データとの関連性の傾向を把握でき、エリア毎の空調設備の交換、追設等の必要性を容易に判断することができる。
【０２０３】
＜第１４実施形態＞
図３８に示すように、第１４実施形態の快適度表示装置８１０は、図３４を参照して説明した快適度表示装置８００にエリア基本統計量算出部８１７を追加したものである。快適度表示装置８００を構成する、嗜好格納部１０１、属性格納部１０２、エリア環境データ値取得部８０３、エリア快適度値生成部８０４、表示部８０６は、図３４を参照して説明した快適度表示装置８００と同様であるので、説明は省略する。
【０２０４】
エリア基本統計量算出部８１７は、エリア快適度値基本統計量とエリア環境データ値基本統計量とを算出する。ここで、エリア快適度値基本統計量は、エリア快適度値生成部８０４で生成したユーザのエリア快適度値を代表する基本統計量で、以下の（１）から（５）のグループを有している。
（１）ユーザのエリア快適度値の時間平均値または空間平均値
（２）ユーザのエリア快適度値の時間中央値または空間中央値
（３）ユーザのエリア快適度値の時間最大値または空間最大値
（４）ユーザのエリア快適度値の時間最小値または空間最小値
（５）ユーザのエリア快適度値の時間最頻値または空間最頻値
【０２０５】
また、エリア環境データ値基本統計量は、エリア環境データ値取得部８０３が取得した空調空間４０の各エリア４５１〜４５４のエリア環境データを代表する基本統計量で、以下の（６）から（１０）のグループを有している。
（６）エリア環境データ値の時間平均値または空間平均値
（７）エリア環境データ値の時間中央値または空間中央値
（８）エリア環境データ値の時間最大値または空間最大値
（９）エリア環境データ値の時間最小値または空間最小値
（１０）エリア環境データ値の時間最頻値または空間最頻値
【０２０６】
ここで、時間平均値とは、各エリア４５１〜４５４の例えば、一日、一週間、一か月等の所定期間における各平均値である。また、空間平均値とは、空調空間４０の各エリア４５１〜４５４におけるユーザの快適度の平均値、あるいは、そのエリア４５１〜４５４における環境データ値の平均値である。つまり、各エリア４５１〜４５４における平均値である。
【０２０７】
同様に、時間中央値、空間中央値は、それぞれ各エリア４５１〜４５４における中央値であり、時間最大値、空間最大値は、それぞれ各エリア４５１〜４５４における最大値であり、時間最小値、空間最小値は、それぞれ各エリア４５１〜４５４における最小値であり、時間最頻値、空間最頻値は、それぞれ各エリア４５１〜４５４における最頻値である。
【０２０８】
エリア表示データ生成部８１５は、エリア快適度値生成部８０４の生成したユーザのエリア快適度値と、エリア環境データ値取得部８０３が取得した空調空間４０の各エリア４５１〜４５４の各エリア環境データ値と、エリア基本統計量算出部８１７が算出したユーザのエリア快適度値を代表するエリア快適度値基本統計量と空調空間４０の各エリア４５１〜４５４の各エリア環境データ値を代表するエリア環境データ値基本統計量の内のいずれか１つまたは複数と、を合成して表示統合データを生成して表示部８０６に出力する。より詳細には、エリア表示データ生成部８１５は、エリア基本統計量算出部８１７が算出したユーザのエリア快適度値の時間平均値、空間平均値、時間中央値、空間中央値、時間最大値、空間最大値、時間最小値、空間最小値、時間最頻値、空間最頻値、エリア４５１〜４５４のエリア環境データ値の時間平均値、空間平均値、時間中央値、空間中央値、時間最大値、空間最大値、時間最小値、空間最小値、時間最頻値、空間最頻値、の内のいずれか１つまたは複数を、エリア快適度値とエリア環境データ値とを合成して表示部８０６に出力する。
【０２０９】
次に図３９を参照しながら快適度表示装置８１０の動作について説明する。以下の説明では、エリア基本統計量算出部８１７は、エリア快適度値生成部８０４が生成したエリア快適度値の時間平均値あるいは空間平均値と、エリア環境データ値取得部８０３が取得したエリア環境データ値の時間平均あるいは空間平均を算出する場合を例に説明する。また、図３５を参照して説明した快適度表示装置８００の動作と同様のステップについては、各ステップに図３５と同様の符号を付し、説明は諸略する。
【０２１０】
図３９のステップＳ８１０に示すように、エリア基本統計量算出部８１７は、エリア快適度値基本統計量のグループ（１）の快適度値の時間平均値あるいは空間平均値を算出する。また、エリア基本統計量算出部８１７は、図３９のステップＳ８１１において、エリア環境データ値基本統計量のグループ（６）のエリア４５１〜４５４のエリア環境データ値の時間平均値あるいは空間平均値を算出する。
【０２１１】
図３９のステップＳ８１３に示すように、エリア表示データ生成部８１５は、エリア快適度値生成部８０４の生成したユーザのエリア快適度値と、エリア環境データ値取得部８０３が取得したエリア４５１〜４５４のエリア環境データ値と、基本統計量算出部２０７が算出したユーザのエリア快適度値の時間平均値または空間平均値とエリア４５１〜４５４のエリア環境データ値の時間平均値または空間平均値の内のいずれか１つまたは複数と、を合成してエリア表示統合データを生成して表示部８０６に出力する。そして、表示部８０６は、図３９のステップＳ８１４に示すように、エリア表示データ生成部８１５の生成したエリア表示統合データを表示する。
【０２１２】
表示部８０６の表示例を図４０に示す。図４０は、先に図３６を参照して説明した快適度表示装置８００の表示にエリア４５１〜４５４の平均温度と平均快適度の表を表示したものである。
【０２１３】
以上、エリア基本統計量算出部８１７が平均値を算出する場合について説明したが、中央値を算出表示する場合には、図３９のステップＳ８１０で、エリア基本統計量算出部８１７が、エリア快適度値基本統計量のグループ（２）の快適度値の時間中央値あるいは空間中央値を算出し、図３９のステップＳ８１１において、エリア環境データ値基本統計量のグループ（７）のエリア４５１〜４５４のエリア環境データ値の時間中間値あるいは空間中間値を算出する。同様に、最大値、最小値、最頻値を算出表示する場合には、エリア基本統計量算出部８１７が、快適度値基本統計量のグループ（３）、（４）、（５）の快適度値の最大値、最小値、最頻値を算出し、図３９のステップＳ８１１において、エリア環境データ値基本統計量のグループ（８）、（９）、（１０）のエリア環境データ値の最大値、最小値、最頻値を算出する。他の動作については、先に説明した平均値を算出する場合と同様である。
【０２１４】
また、表示部８０６には、エリア快適度値とエリア環境データ値の異なるエリア基本統計量を組み合わせて表示してもよい。例えば、エリア基本統計量算出部８１７がエリア快適度値の時間平均値または空間平均値と、空調空間４０のエリア４５１〜４５４のエリア環境データ値の時間中間値あるいは空間中間値とを算出し、これらを表示部８０６に表示するようにしてもよい。
【０２１５】
＜第１５実施形態＞
図４１に示すように、第１５実施形態の快適度表示装置８２０のエリア表示データ生成部８２５は、エリア快適度値基本統計量の内のいずれか１つと、エリア環境データ値基本統計量の内のいずれか１つを合成してエリア統計量表示データを生成し、表示部８０６が、１つまたは複数のエリア統計量表示データを表示する。エリア表示データ生成部８２５は、エリア快適度値生成部８０４の生成したユーザのエリア快適度値、エリア環境データ値取得部８０３の取得するエリア環境データ値との合成は行わない。従って、快適度表示装置８２０は、表示部８０６にエリア快適度のエリア快適度値基本統計量とエリア環境データのエリア環境データ値基本統計量とのみを表示するものである。
【０２１６】
以下の説明では、エリア基本統計量算出部８１７は、エリア快適度値生成部８０４が生成したエリア快適度値の時間平均値あるいは空間平均値と、エリア環境データ値取得部８０３が取得したエリア環境データ値の時間平均あるいは空間平均を算出する場合を例に説明する。
【０２１７】
快適度表示装置８１０と同様の部位には、同様の符号を付して説明は省略する。また、図４１において、図３９を参照して説明した快適度表示装置８１０の動作と同様の動作には、同様のステップ番号を付して説明は省略する。
【０２１８】
図４２に示すように、快適度表示装置８２０は、図４２のステップＳ８２０においてエリア統計量表示データを生成し、表示部８０６は、このエリア統計量表示データを表示する。
【０２１９】
図４３は、第１７実施形態の快適度表示装置８２０の表示例の一つである。図４３は、図３７と同様、図３６に示す空調空間４０の中の各エリア４５１〜４５４の各特定の位置における温度の変化とユーザの快適度変化を示す図である。図３７で、横軸は時間であったが、図４３での横軸は、日付であり、各プロットは、その日一日のエリア快適度の平均値、平均温度を示す。従って、図４３は、エリア基本統計量算出部８１７が算出した各ユーザの快適度値の一日の平均値と、各エリア４５１〜４５４のエリア環境データ値である温度の一日の平均値とを合成した統計量表示データを表示部８０６に出力した表示例である。また、図４３の右側には、各エリア４５１〜４５４それぞれの座席位置Ａ−１における一か月平均温度と、各ユーザＡ、Ｂ、Ｃの８月一か月の平均の快適度値と、が表示されている。
【０２２０】
このように、表示部８０６にエリア快適度値基本統計量とエリア環境データ値基本統計量を表示することにより、エリア４５１〜４５４毎の快適度と環境データとの関連性の傾向を把握でき、エリア４５１〜４５４毎の空調設備の交換、追設等の必要性を容易に判断できる。また、エリア快適度値基本統計量、エリア環境データ値基本統計量としては、快適度値、環境データ値のデータ群を代表する指標である平均値、中央値、最大値、最小値、最頻値を用いることで、データ群を包括的に把握することができる。
【０２２１】
＜第１６実施形態＞
図４４に示すように、第１６実施形態の快適度表示装置８３０は、図３４を参照して説明した快適度表示装置８００のエリア情報格納部８０８にエリア情報入力部８３９を追加したものである。
【０２２２】
先に説明したように、エリア情報格納部８０８には、エリア４５１〜４５４の配置、形状の情報、各エリア４５１〜４５４に配置されている空調機、室内機、温度センサ、湿度センサ、風速計等の配置、或いは、各エリア４５１〜４５４の机の配置とそこ座っているユーザを特定する情報、例えば、氏名、従業員番号等の情報を格納している。これらの情報は、頻繁に変更されることが多い。快適度表示装置８３０のように、エリア情報入力部８３９を備えることにより、これらの情報が変更されても随時エリア情報格納部８０８の情報を更新することができ、常に適格な快適度表示を行うことができる。
【０２２３】
＜第１７実施形態＞
図４５に示す快適度表示装置８４０は、図１を参照して説明した快適度表示装置１００に電力情報取得部８４１を追加したものである。
【０２２４】
快適度表示装置８４０は、図４６のステップＳ８４１において、電力情報取得部８４１で空調空間４０の空調に使用される空調機あるいは換気器、加湿器、除湿器など空調用機器及び照明等の他の機器に使用される電力データ値を取得し、図４６のステップＳ８４２において、表示データ生成部８４５が、快適度値生成部１０４で生成したユーザの快適度値と、環境データ値取得部１０３が取得した空調空間４０の環境データ値と、電力情報取得部８４１が取得した電力データ値とを合成して表示データを生成する。生成した表示データは、表示部１０６で表示される。
【０２２５】
快適度表示装置８４０は、使用電力と快適度、環境データ値との関係を把握することができる。
【０２２６】
＜第１８実施形態＞
図４７に示すように、第１８実施形態の快適度表示装置８５０は、図３８を参照して説明した快適度表示装置８１０にエリア快適度評価部８５１を追加したものである。
【０２２７】
エリア快適度評価部８５１は、図４８のステップＳ８５１でエリア基本統計量算出部８１７が算出するエリア快適度値基本統計量と、所定の閾値とを比較評価してエリア快適度評価を出力する。エリア表示データ生成部８５５は、図４８のステップＳ８５２でエリア快適度値生成部８０４で生成したユーザのエリア快適度値と、エリア環境データ値取得部８０３が取得したエリア環境データ値と、エリア快適度評価部８５１が出力したエリア快適度評価と、を合成してエリア表示データを生成する。
【０２２８】
これにより、快適度表示装置８５０は、複数のエリア４５１〜４５４の中から快適性の低いエリアを容易に識別表示できる。また、エリア快適度評価を用いて複数のエリア４５１〜４５４の中から快適性の低いエリアを表示させて、より容易に快適性の低いエリアを識別表示できるようにしてもよい。
【０２２９】
＜第１９実施形態＞
図４９に示すように、第１９実施形態の快適度表示装置８６０は、図１に示す快適度表示装置１００に生体情報格納部８６１、ユーザ状態取得部７０７を追加したものである。
【０２３０】
生体情報格納部８６１は、ユーザの生体情報、例えば、心拍数などが格納されている。ユーザ状態取得部７０７は、現在のユーザの心拍数等の生体情報とユーザの現在位置とを取得する。図５０のステップＳ８６１において、ユーザ状態取得部７０７は、現在のユーザの心拍数等の生体情報とユーザの現在位置とを取得する。
【０２３１】
快適度値生成部１０４は、図５０のステップＳ１０１で読み出したユーザの嗜好と、図５０のステップＳ１０２で読み出したユーザの属性と、図５０のステップＳ１０３で取得した環境データ値取得部１０３が取得した空調空間４０の環境データ値に加えて、図５０のステップＳ８６１でユーザ状態取得部７０７が取得した現在のユーザの心拍数等の生体情報とユーザの現在位置と生体情報格納部８６１に格納したユーザの生体情報とに基づいて、図５０のステップＳ８６２において、ユーザの空調空間４０における快適性を示す快適度値を生成する。
【０２３２】
快適度値生成部１０４は、例えば、ユーザが歩行の直後等には、通常よりも空調空間４０の温度が低い場合が中立となるようにユーザの快適度値を生成する。これにより、例えば、歩行後など、ユーザの状態が平常と異なる場合でも快適性を正確に表示することができる。
【０２３３】
以上説明したように、各実施形態の快適度表示装置は、快適度と環境データとの関連性の把握を容易にし、適切な空調設備管理を可能とすることができる。
【０２３４】
なお、本発明は以上説明した実施形態に限定されるものではなく、請求の範囲により規定されている本発明の技術的範囲ないし本質から逸脱することない全ての変更及び修正を包含するものである。
【符号の説明】
【０２３５】
１０  汎用コンピュータ、２１  ＣＰＵ、２２  ＲＯＭ、２３  ＲＡＭ、２４  ＨＤＤ、２５  マウス、２６  キーボード、２７  ディスプレイ、２８  入出力コントローラ、２９  ネットワークコントローラ、３０  データバス、  ４０、５０  空調空間、４１，４１１〜４１４  事務机、４２、５２、４２１〜４２４  椅子、４３、５３、４３１〜４３４  空調機の吹き出し口、４４  パーティション、４５  窓、５１  テーブル、５５  テーブルセット、１００、２００、２５０、３００、４００、５００、５５０、５８０、６００、６５０、６８０、７００、８００、８１０、８２０、８３０、８４０、８５０、８６０  快適度表示装置、１０１、２０１、２５１、３０１、４０１、５０１、６０１、７０１  嗜好格納部、１０２、２０２、２５２、３０２、４０２、５０２、６０２、７０２  属性格納部、１０３、２０３、２５３、３０３、４０３、５０３、６０３、７０３  環境データ値取得部、１０４、２０４、２５４、３０４、４０４、５０４、６０４、７０４  快適度値生成部、１０５、２０５、２５５、３０５、４０５、５０５、６０５、７０５，８４５  表示データ生成部、１０６、２０６、２５６、３０６、４０６、５０６、６０６、７０６  表示部、２０７、２５７  基本統計量算出部、３０７  補完部、４０７  異常検出部、４５１〜４５４  エリア、５０７  タイプ別推奨領域生成部、５０８、６０８  移動先表示部、６０７  ユーザ別推奨領域生成部、７０７  ユーザ状態取得部、７０８  推奨行動生成部、８０４  エリア快適度値生成部、８０５，８１５，８２５  エリア表示データ生成部、８０６  表示部、８０８  エリア情報格納部、８１７  エリア基本統計量算出部、８３９  エリア情報入力部、８４１  電力情報取得部、８５１  エリア快適度評価部、８６１  生体情報格納部、９０１  ユーザ嗜好データベース、９０２  ユーザ属性データベース。
【図１】
2019020109.tif 000003
【図２】
2019020109.tif 000004
【図３】
2019020109.tif 000005
【図４】
2019020109.tif 000006
【図５】
2019020109.tif 000007
【図６】
2019020109.tif 000008
【図７】
2019020109.tif 000009
【図８】
2019020109.tif 000010
【図９】
2019020109.tif 000011
【図１０】
2019020109.tif 000012
【図１１】
2019020109.tif 000013
【図１２】
2019020109.tif 000014
【図１３】
2019020109.tif 000015
【図１４】
2019020109.tif 000016
【図１５】
2019020109.tif 000017
【図１６】
2019020109.tif 000018
【図１７】
2019020109.tif 000019
【図１８】
2019020109.tif 000020
【図１９】
2019020109.tif 000021
【図２０】
2019020109.tif 000022
【図２１】
2019020109.tif 000023
【図２２】
2019020109.tif 000024
【図２３】
2019020109.tif 000025
【図２４】
2019020109.tif 000026
【図２５】
2019020109.tif 000027
【図２６】
2019020109.tif 000028
【図２７】
2019020109.tif 000029
【図２８】
2019020109.tif 000030
【図２９】
2019020109.tif 000031
【図３０】
2019020109.tif 000032
【図３１】
2019020109.tif 000033
【図３２】
2019020109.tif 000034
【図３３】
2019020109.tif 000035
【図３４】
2019020109.tif 000036
【図３５】
2019020109.tif 000037
【図３６】
2019020109.tif 000038
【図３７】
2019020109.tif 000039
【図３８】
2019020109.tif 000040
【図３９】
2019020109.tif 000041
【図４０】
2019020109.tif 000042
【図４１】
2019020109.tif 000043
【図４２】
2019020109.tif 000044
【図４３】
2019020109.tif 000045
【図４４】
2019020109.tif 000046
【図４５】
2019020109.tif 000047
【図４６】
2019020109.tif 000048
【図４７】
2019020109.tif 000049
【図４８】
2019020109.tif 000050
【図４９】
2019020109.tif 000051
【図５０】
2019020109.tif 000052